(57)【要約】  ある期間中に屋外で出している広告に関して請求される額を計算するための方法、装置、およびシステム。
2014509426.tif 000002
【特許請求の範囲】
【請求項１】
〔請求項セット１〕
ある期間中に屋外で出している広告に関して請求される額を計算する方法であって、
ａ）前記期間中に前記広告に目を向けた人の総数を：
ｉ）前記広告の近くにいる十分な人の画像を、前記人の目が前記広告に向いているかどうかを判断するために、デジタルカメラによって取得することと、
ｉｉ）前記人の目が前記広告に向いているかどうかを判断するために、前記画像をコンピュータプロセッサによって処理することと、
ｉｉｉ）前記人の目が前記広告に向いている場合、前記人の目が前記広告に向いていることを示すデータをデータベースに格納することと、
ｉｖ）前記期間中、ｉ）〜ｉｉｉ）を繰り返すことと
を含むサブメソッドによって判断することと、
ｂ）前記期間中に前記広告に目を向けた人の前記総数を表すデータを前記データベースから取得することと、
ｃ）前記期間に前記広告に関して請求される総額を、前記期間中に前記広告に目を向けた人の前記総数に応じて、前記コンピュータプロセッサを通して計算することと
を含む方法。
【請求項２】
前記画像を取得することが、前記人の顔の画像を取得することを含む、請求項１に記載の方法。
【請求項３】
前記画像を前記デジタルカメラで取得する前に、前記デジタルカメラを、前記画像を取得できるように、前記広告に対して位置付けることをさらに含む、請求項１〜請求項２のいずれか１つに記載の方法。
【請求項４】
前記カメラが、前記広告と同じ一般的な方向に向けられているように位置付けられている、請求項３に記載の方法。
【請求項５】
前記人の年齢グループを判断するために、前記画像を前記コンピュータプロセッサによって処理することをさらに含む、請求項１〜請求項４のいずれか１つに記載の方法。
【請求項６】
前記人の性別を判断するために、前記画像を前記コンピュータプロセッサによって処理することをさらに含む、請求項１〜請求項５のいずれか１つに記載の方法。
【請求項７】
前記画像を処理することが、前記画像を顔認識ソフトウェアで処理することを含む、請求項１〜請求項６のいずれか１つに記載の方法。
【請求項８】
前記画像を処理することが、前記画像を顔認識ソフトウェアで処理することである、請求項１〜請求項７のいずれか１つに記載の方法。
【請求項９】
前記画像が取得された時刻を示すデータを前記データベースに格納することをさらに含む、請求項１〜請求項８のいずれか１つに記載の方法。
【請求項１０】
前記画像が取得された日付を示すデータを前記データベースに格納することをさらに含む、請求項１〜請求項９のいずれか１つに記載の方法。
【請求項１１】
前記画像が取得された場所を示すデータを前記データベースに格納することをさらに含む、請求項１〜請求項１０のいずれか１つに記載の方法。
【請求項１２】
前記画像が取得された前記場所を示す前記データが、位置決めシステムで取得される、請求項１１に記載の方法。
【請求項１３】
前記人の目が前記広告に向いている継続期間を示すデータを前記データベースに格納することをさらに含む、請求項１〜請求項１２のいずれか１つに記載の方法。
【請求項１４】
前記人の顔が前記広告に向いている継続期間を示すデータを前記データベースに格納することをさらに含む、請求項１〜請求項１３のいずれか１つに記載の方法。
【請求項１５】
前記人の目が前記広告に向いていない場合に、前記人の目が前記広告に向いていないことを示すデータを前記データベースに格納することをさらに含む、請求項１〜請求項１４のいずれか１つに記載の方法。
【請求項１６】
前記期間に前記広告に関して請求される前記総額を計算することが、前記期間中に前記広告に目を向けた人の前記総数に１人あたりの額を掛けることを含む、請求項１〜請求項１５のいずれか１つに記載の方法。
【請求項１７】
前記期間に前記広告に関して請求される前記総額を計算することが、前記期間中に前記広告に目を向けた年齢グループの人の総数がゼロより多い、少なくとも各前記年齢グループについて、前記期間中に前記広告に目を向けた前記年齢グループの人の前記総数に、前記年齢グループに関する１人あたりの額を掛け、結果として前記年齢グループに対する額が得られることと；各年齢グループに対して前記結果として得られる額を一緒に合計することとを含む、請求項１〜請求項１６のいずれか１つに記載の方法。
【請求項１８】
少なくとも２つの年齢グループに関して前記１人あたりの額が異なる、請求項１７に記載の方法。
【請求項１９】
少なくとも１つの年齢グループに関して前記１人あたりの額が事実上ゼロである、請求項１８に記載の方法。
【請求項２０】
前記期間に前記広告に関して請求される前記総額を計算することが、前記期間中に前記広告に目を向けた性別の人の総数がゼロより多い、少なくとも各前記性別について、前記期間中に前記広告に目を向けた前記性別の人の前記総数に、前記性別に関する１人あたりの額を掛け、結果として前記性別に対する額が得られることと；各性別に対して前記結果として得られる額を一緒に合計することとを含む、請求項１〜請求項１９のいずれか１つに記載の方法。
【請求項２１】
各性別に関して前記１人あたりの額が異なる、請求項２０に記載の方法。
【請求項２２】
１つの性別に関して前記１人あたりの額が事実上ゼロである、請求項２１に記載の方法。
【請求項２３】
前記期間に前記広告に関して請求される前記総額を計算することが、複数の時刻グループの各１つの間に前記広告に目を向けた人の総数がゼロより多い、少なくとも前記複数の時刻グループについて、前記時刻グループのうちの特定の１つの間に前記広告に目を向けた人の前記総数に、前記時刻グループのうちの前記特定の１つに関する１人あたりの額を掛け、結果として前記複数の時刻グループの各１つに対する額が得られることと；前記複数の時刻グループの各１つに対して前記結果として得られる額を一緒に合計することとを含む、請求項１〜請求項２２のいずれか１つに記載の方法。
【請求項２４】
少なくとも２つの前記時刻グループに関して前記１人あたりの額が異なる、請求項２３に記載の方法。
【請求項２５】
少なくとも１つの前記時刻グループに関して前記１人あたりの額が事実上ゼロである、請求項２４に記載の方法。
【請求項２６】
前記期間に前記広告に関して請求される前記総額を計算することが、複数の日付グループの各１つの間に前記広告に目を向けた人の総数がゼロより多い、少なくとも前記複数の日付グループについて、前記日付グループのうちの特定の１つの間に前記広告に目を向けた人の前記総数に、前記日付グループのうちの前記特定の１つに関する１人あたりの額を掛け、結果として前記複数の日付グループの各１つに対する額が得られることと；前記複数の日付グループの各１つに対して前記結果として得られる額を一緒に合計することとを含む、請求項１〜請求項２５のいずれか１つに記載の方法。
【請求項２７】
少なくとも２つの前記日付グループに関して前記１人あたりの額が異なる、請求項２６に記載の方法。
【請求項２８】
少なくとも１つの前記日付グループに関して前記１人あたりの額が事実上ゼロである、請求項２７に記載の方法。
【請求項２９】
前記期間に前記広告に関して請求される前記総額を計算することが、複数の場所のうちの各１つで前記広告に目を向けた人の総数がゼロより多い、前記複数の場所について、前記複数の場所のうちの特定の場所で前記広告に目を向けた人の前記総数に、前記特定の場所に関する１人あたりの額を掛け、結果として前記複数の場所の各１つに対する額が得られることと；前記複数の場所の各１つに対する前記額を一緒に合計することとを含む、請求項１〜請求項２８のいずれか１つに記載の方法。
【請求項３０】
少なくとも２つの場所に関して前記１人あたりの額が異なる、請求項２９に記載の方法。
【請求項３１】
少なくとも１つの場所に関して前記１人あたりの額が事実上ゼロである、請求項３０に記載の方法。
【請求項３２】
前記期間に前記広告に関して請求される前記総額を計算することが、複数の継続期間グループの各１つの間、前記広告に目を向けた人の総数がゼロより多い、前記広告に人の目が向いた、少なくとも前記複数の継続期間グループについて、前記継続期間グループのうちの特定の１つの期間中に前記広告に目を向けた人の前記総数に、前記継続期間グループのうちの前記特定の１つに関する１人あたりの額を掛け、結果として前記複数の継続期間グループの各１つに対する額が得られることと；前記複数の継続期間グループの各１つに対して前記結果として得られる額を一緒に合計することとを含む、請求項１〜請求項３１のいずれか１つに記載の方法。
【請求項３３】
少なくとも２つの継続期間グループに関して前記１人あたりの額が異なる、請求項３２に記載の方法。
【請求項３４】
少なくとも１つの継続期間グループに関して前記１人あたりの額が事実上ゼロである、請求項３３に記載の方法。
【請求項３５】
前記広告が、デジタル媒体を介して提示される、請求項１〜請求項３４のいずれか１つに記載の方法。
【請求項３６】
前記広告が、前記期間中、前記デジタル媒体を介して提示されている複数の広告のうちの１つである、請求項３５に記載の方法。
【請求項３７】
前記期間のうちの少なくとも一部の期間中に前記広告に目を向けた前記人の人口統計に基づいて、前記期間中に、前記広告の時刻、日付、および提示頻度のうちの少なくとも１つを変更することをさらに含む、請求項３５〜請求項３６のいずれか１つに記載の方法。
【請求項３８】
前記期間が、複数の下位期間に分割されていて；前記下位期間のうちの１つの間に前記広告に関して請求される総額を少なくとも定期的に再計算することと、前記下位期間のうちの前記１つの間に前記広告に関して請求される前記総額が、前記下位期間のうちの前記１つに対する予算額に達すると、前記下位期間のうちの前記１つの残りについて前記広告の提示頻度を減らすこととをさらに含む、請求項３５〜請求項３７のいずれか１つに記載の方法。
【請求項３９】
前記期間が、複数の下位期間に分割されていて；前記下位期間のうちの１つの間に前記広告に関して請求される総額を少なくとも定期的に再計算することと、前記下位期間のうちの前記１つの間に前記広告に関して請求される前記総額が、前記下位期間のうちの前記１つに対する予算額に達すると、前記下位期間のうちの前記１つの残りについて前記広告の提示を停止することとをさらに含む、請求項３５〜請求項３８のいずれか１つに記載の方法。
【請求項４０】
前記広告の提示を前記下位期間の後続の１つで再開することをさらに含む、請求項３９に記載の方法。
【請求項４１】
前記下位期間が数日である、請求項３８〜請求項４０のいずれか１つに記載の方法。
【請求項４２】
現在までの前記広告に関して請求される前記総額を少なくとも定期的に再計算することと、現在までの前記広告に関して請求される前記総額が前記広告に対する予算額に達すると、前記広告の提示を停止することとをさらに含む、請求項３５〜請求項４１のいずれか１つに記載の方法。
【請求項４３】
前記デジタル媒体が、複数の関連したデジタル媒体の１つであり；前記期間のうちの少なくとも一部の期間中に前記広告に目を向けた前記人の人口統計に基づいて、前記期間中に前記広告が提示される前記関連したデジタル媒体のうちの１つを変更することをさらに含む、請求項３５〜請求項４２のいずれか１つに記載の方法。
【請求項４４】
前記デジタル媒体が、複数の関連したデジタル媒体の１つであり；前記期間のうちの少なくとも一部の期間中に前記広告に目を向けた前記人の人口統計に基づいて、少なくとも２つの前記関連したデジタル媒体上での前記広告の時刻、日付、および提示頻度のうちの少なくとも１つを変更することをさらに含む、請求項３５〜請求項４３のいずれか１つに記載の方法。
【請求項４５】
〔請求項セット２〕
ある期間中に屋外で出している広告に関して請求される額を計算する方法であって、
ａ）前記期間中に前記広告に目を向けた人の総数を表すデータをデータベースから取得することであって、前記データが、前記期間中に前記広告の近くにいた人の目が前記広告に向いていたかどうかを判断するために、前記人の画像の第１のコンピュータプロセッサによるコンピュータ処理から生じている、データをデータベースから取得することと、
ｂ）第２のコンピュータプロセッサを通して、前記期間に前記広告に関して請求される総額を、前記期間中に前記広告に目を向けた人の前記総数に応じて計算することと
を含む方法。
【請求項４６】
ａ）が前記データをネットワーク経由で取得することを含む、請求項４５に記載の方法。
【請求項４７】
ａ）の前に、
ｉ）前記期間中に前記広告の近くにいる人の前記目が前記広告に向いていることを示すデータを、ネットワーク経由で受信することであって、前記データが、前記人の前記目が前記広告に向いているかどうかを判断するために、前記人の画像のコンピュータプロセッサによるコンピュータ処理から生じている、データをネットワーク経由で受信することと、
ｉｉ）前記人の前記目が前記広告に向いている場合、前記人の目が前記広告に向いていることを示すデータを前記データベースに格納することと、
ｉｉｉ）前記期間中、ｉ）〜ｉｉ）を繰り返すことと
をさらに含む、請求項４５に記載の方法。
【請求項４８】
ａ）の前に、
ｉ）前記期間中に前記広告に目を向けた人の前記総数を表す前記データをネットワーク経由で受信することであって、前記データが、前記期間中に前記広告の近くにいる人の前記目が前記広告に向いているかどうかを判断するため、前記人の画像のコンピュータプロセッサによるコンピュータ処理から生じている、前記データをネットワーク経由で受信することをさらに含む、請求項４５に記載の方法。
【請求項４９】
ａ）の前に、
ｉ）前記広告の近くにいる十分な人のデジタル画像を、前記人の目が前記広告に向いているかどうかを判断するために、ネットワークを経由して、デジタルカメラから受信することと、
ｉｉ）前記人の目が前記広告に向いているかどうかを判断するために、前記画像をコンピュータプロセッサによって処理することと、
ｉｉｉ）前記人の目が前記広告に向いている場合、前記人の目が前記広告に向いていることを示すデータを前記データベースに格納することと、
ｉｖ）前記期間中、ｉ）〜ｉｉｉ）を繰り返すことと
をさらに含む、請求項４５に記載の方法。
【請求項５０】
前記期間に前記広告に関して請求される前記総額を計算することが、前記期間中に前記広告に目を向けた人の前記総数に１人あたりの額を掛けることを含む、請求項４５〜請求項４９のいずれか１つに記載の方法。
【請求項５１】
前記期間に前記広告に関して請求される前記総額を計算することが、前記期間中に前記広告に目を向けた年齢グループの人の前記総数がゼロより多い、少なくとも各前記年齢グループについて、前記期間中に前記広告に目を向けた前記年齢グループの人の前記総数に、前記年齢グループに関する１人あたりの額を掛け、結果として前記年齢グループに対する額が得られることと；各年齢グループに対して前記結果として得られる額を一緒に合計することとを含む、請求項４５〜請求項５０のいずれか１つに記載の方法。
【請求項５２】
少なくとも２つの年齢グループに関して前記１人あたりの額が異なる、請求項５１に記載の方法。
【請求項５３】
少なくとも１つの年齢グループに関して前記１人あたりの額が事実上ゼロである、請求項５２に記載の方法。
【請求項５４】
前記期間に前記広告に関して請求される前記総額を計算することが、前記期間中に前記広告に目を向けた性別の人の前記総数がゼロより多い、少なくとも各前記性別について、前記期間中に前記広告に目を向けた前記性別の人の前記総数に、前記性別に関する１人あたりの額を掛け、結果として前記性別に対する額が得られることと；各性別に対して前記結果として得られる額を一緒に合計することとを含む、請求項４５〜請求項５３のいずれか１つに記載の方法。
【請求項５５】
各性別に関して前記１人あたりの額が異なる、請求項５４に記載の方法。
【請求項５６】
１つの性別に関して前記１人あたりの額が事実上ゼロである、請求項５５に記載の方法。
【請求項５７】
前記期間に前記広告に関して請求される前記総額を計算することが、複数の時刻グループの各１つの間に前記広告に目を向けた人の前記総数がゼロより多い、少なくとも前記複数の時刻グループについて、前記時刻グループのうちの特定の１つの間に前記広告に目を向けた人の前記総数に、前記時刻グループのうちの前記特定の１つに関する１人あたりの額を掛け、結果として前記複数の時刻グループの各１つに対する額が得られることと；前記複数の時刻グループの各１つに対して前記結果として得られる額を一緒に合計することとを含む、請求項４５〜請求項５６のいずれか１つに記載の方法。
【請求項５８】
少なくとも２つの前記時刻グループに関して前記１人あたりの額が異なる、請求項５７に記載の方法。
【請求項５９】
少なくとも１つの前記時刻グループに関して前記１人あたりの額が事実上ゼロである、請求項５８に記載の方法。
【請求項６０】
前記期間に前記広告に関して請求される総額を計算することが、複数の日付グループの各１つの間に前記広告に目を向けた人の前記総数がゼロより多い、少なくとも前記複数の日付グループについて、前記日付グループのうちの特定の１つの間に前記広告に目を向けた人の前記総数に、前記日付グループのうちの前記特定の１つに関する１人あたりの額を掛け、結果として前記複数の日付グループの各１つに対する額が得られることと；前記複数の日付グループの各１つに対して前記結果として得られる額を一緒に合計することとを含む、請求項４５〜請求項５９のいずれか１つに記載の方法。
【請求項６１】
少なくとも２つの前記日付グループに関して前記１人あたりの額が異なる、請求項６０に記載の方法。
【請求項６２】
少なくとも１つの前記日付グループに関して前記１人あたりの額が事実上ゼロである、請求項６１に記載の方法。
【請求項６３】
前記期間に前記広告に関して請求される前記総額を計算することが、複数の場所のうちの各１つで前記広告に目を向けた人の前記総数がゼロより多い、前記複数の場所について、前記複数の場所のうちの特定の場所で前記広告に目を向けた人の前記総数に、前記特定の場所に関する１人あたりの額を掛け、結果として前記複数の場所の各１つに対する額が得られることと；前記複数の場所の各１つに対する前記額を一緒に合計することとを含む、請求項４５〜請求項６２のいずれか１つに記載の方法。
【請求項６４】
少なくとも２つの場所に関して前記１人あたりの額が異なる、請求項６３に記載の方法。
【請求項６５】
少なくとも１つの場所に関して前記１人あたりの額が事実上ゼロである、請求項６４に記載の方法。
【請求項６６】
前記期間に前記広告に関して請求される前記総額を計算することが、複数の継続期間グループの各１つの間に前記広告に目を向けた人の総数がゼロより多い、前記広告に人の目が向いた、少なくとも前記複数の継続期間グループについて、前記継続期間グループのうちの特定の１つの期間中に前記広告に目を向けた人の前記総数に、前記継続期間グループのうちの前記特定の１つに関する１人あたりの額を掛け、結果として前記複数の継続期間グループの各１つに対する額が得られることと；前記複数の継続期間グループの各１つに対して前記結果として得られる額を一緒に合計することとを含む、請求項４５〜請求項６５のいずれか１つに記載の方法。
【請求項６７】
少なくとも２つの継続期間グループに関して前記１人あたりの額が異なる、請求項６６に記載の方法。
【請求項６８】
少なくとも１つの継続期間グループに関して前記１人あたりの額が事実上ゼロである、請求項６７に記載の方法。
【請求項６９】
前記広告が、デジタル媒体を介して提示される、請求項４５〜請求項６８のいずれか１つに記載の方法。
【請求項７０】
前記広告が、前記期間中、前記デジタル媒体を介して提示されている複数の広告のうちの１つである、請求項６９に記載の方法。
【請求項７１】
前記期間のうちの少なくとも一部の期間中に前記広告に目を向けた前記人の人口統計に基づいて、前記期間中に、前記広告の時刻、日付、および提示頻度のうちの少なくとも１つを変更させるために、コンピュータ実行可能命令をネットワーク経由で送信することをさらに含む、請求項６９〜請求項７０のいずれか１つに記載の方法。
【請求項７２】
前記期間が、複数の下位期間に分割されていて；前記下位期間のうちの１つの間に前記広告に関して請求される総額を少なくとも定期的に再計算することと、前記下位期間のうちの前記１つの間に前記広告に関して請求される前記総額が、前記下位期間のうちの前記１つに対する予算額に達すると、前記下位期間のうちの前記１つの残りについて前記広告の提示頻度を減少させるために、コンピュータ実行可能命令をネットワーク経由で送信することとをさらに含む、請求項６９〜請求項７１のいずれか１つに記載の方法。
【請求項７３】
前記期間が、複数の下位期間に分割されていて；前記下位期間のうちの１つの間に前記広告に関して請求される総額を少なくとも定期的に再計算することと、前記下位期間のうちの前記１つの間に前記広告に関して請求される前記総額が、前記下位期間のうちの前記１つに対する予算額に達すると、前記下位期間のうちの前記１つの残りについて前記広告の前記提示を停止させるために、コンピュータ実行可能命令をネットワーク経由で送信することとをさらに含む、請求項６９〜請求項７２のいずれか１つに記載の方法。
【請求項７４】
前記広告の前記提示を前記下位期間の後続の１つで再開させるために、コンピュータ実行可能命令をネットワーク経由で送信することをさらに含む、請求項７３に記載の方法。
【請求項７５】
前記下位期間が数日である、請求項７２〜請求項７４のいずれか１つに記載の方法。
【請求項７６】
現在までの前記広告に関して請求される前記総額を少なくとも定期的に再計算することと、現在までの前記広告に関して請求される前記総額が前記広告に対する予算額に達すると、前記広告の前記提示を停止させるために、コンピュータ実行可能命令をネットワーク経由で送信することとをさらに含む、請求項６９〜請求項７５のいずれか１つに記載の方法。
【請求項７７】
前記デジタル媒体が、複数の関連したデジタル媒体の１つであり；前記期間のうちの少なくとも一部の期間中に前記広告に目を向けた前記人の人口統計に基づいて、前記期間中に前記広告が提示される前記関連したデジタル媒体のうちの１つを変更させるために、コンピュータ実行可能命令をネットワーク経由で送信することをさらに含む、請求項６９〜請求項７６のいずれか１つに記載の方法。
【請求項７８】
前記デジタル媒体が、複数の関連したデジタル媒体の１つであり；前記期間のうちの少なくとも一部の期間中に前記広告に目を向けた前記人の人口統計に基づいて、少なくとも２つの前記関連したデジタル媒体上での前記広告の時刻、日付、および提示頻度のうちの少なくとも１つを変更させるために、コンピュータ実行可能命令をネットワーク経由で送信することをさらに含む、請求項６９〜請求項７７のいずれか１つに記載の方法。
【請求項７９】
〔請求項セット３〕
ある期間中に屋外で出している広告に関して請求される額を計算する方法であって、
ａ）ある期間中に屋外広告に顔を向けた人の総数を：
ｉ）前記広告の近くにいる十分な人の画像を、前記人の顔が前記広告に向いているかどうかを判断するために、デジタルカメラによって取得することと、
ｉｉ）前記人の顔が前記広告に向いているかどうかを判断するために、前記画像をコンピュータプロセッサによって処理することと、
ｉｉｉ）前記人の顔が前記広告に向いている場合、前記広告に前記人の顔が向いたことを示すデータをデータベースに格納することと、
ｉｖ）前記期間中、ｉ）〜ｉｉｉ）を繰り返すことと
を含む方法によって判断することと、
ｂ）前記期間中に前記広告に顔を向けた人の前記総数を表すデータを前記データベースから取得することと、
ｃ）前記期間に前記広告に関して請求される総額を、前記期間中に前記広告に顔を向けた人の前記総数に応じて計算することと
を含む方法。
【請求項８０】
前記画像を取得することが、前記人の前記顔の画像を取得することを含む、請求項７９に記載の方法。
【請求項８１】
前記画像を前記デジタルカメラで取得する前に、前記デジタルカメラを、前記画像を取得できるように、前記広告に対して位置付けることをさらに含む、請求項７９〜請求項８０のいずれか１つに記載の方法。
【請求項８２】
前記カメラが、前記広告と同じ一般的な方向に向けられているように位置付けられている、請求項８１に記載の方法。
【請求項８３】
前記人の年齢グループを判断するために、前記画像を前記コンピュータプロセッサによって処理することをさらに含む、請求項７９〜請求項８２のいずれか１つに記載の方法。
【請求項８４】
前記人の性別を判断するために、前記画像を前記コンピュータプロセッサによって処理することをさらに含む、請求項７９〜請求項８３のいずれか１つに記載の方法。
【請求項８５】
前記画像を処理することが、前記画像を顔認識ソフトウェアで処理することを含む、請求項７９〜請求項８４のいずれか１つに記載の方法。
【請求項８６】
前記画像を処理することが、前記画像を顔認識ソフトウェアで処理することである、請求項７９〜請求項８５のいずれか１つに記載の方法。
【請求項８７】
前記画像が取得された時刻を示すデータを前記データベースに格納することをさらに含む、請求項７９〜請求項８６のいずれか１つに記載の方法。
【請求項８８】
前記画像が取得された日付を示すデータを前記データベースに格納することをさらに含む、請求項７９〜請求項８７のいずれか１つに記載の方法。
【請求項８９】
前記画像が取得された場所を示すデータを前記データベースに格納することをさらに含む、請求項７９〜請求項８８のいずれか１つに記載の方法。
【請求項９０】
前記画像が取得された前記場所を示す前記データが、位置決めシステムで取得される、請求項８９に記載の方法。
【請求項９１】
前記人の顔が前記広告に向いている継続期間を示すデータを前記データベースに格納することをさらに含む、請求項７９〜請求項９０のいずれか１つに記載の方法。
【請求項９２】
前記人の顔が前記広告に向いている継続期間を示すデータを前記データベースに格納することをさらに含む、請求項７９〜請求項９１のいずれか１つに記載の方法。
【請求項９３】
前記人の顔が前記広告に向いていない場合に、前記人の顔が前記広告に向いていないことを示すデータを前記データベースに格納することをさらに含む、請求項７９〜請求項９２のいずれか１つに記載の方法。
【請求項９４】
前記期間に前記広告に関して請求される前記総額を計算することが、前記期間中に前記広告に顔を向けた人の前記総数に１人あたりの額を掛けることを含む、請求項７９〜請求項９３のいずれか１つに記載の方法。
【請求項９５】
前記期間に前記広告に関して請求される前記総額を計算することが、前記期間中に前記広告に顔を向けた年齢グループの人の総数がゼロより多い、少なくとも各前記年齢グループについて、前記期間中に前記広告に顔を向けた前記年齢グループの人の前記総数に、前記年齢グループに関する１人あたりの額を掛け、結果として前記年齢グループに対する額が得られることと；各年齢グループに対して前記結果として得られる額を一緒に合計することとを含む、請求項７９〜請求項９４のいずれか１つに記載の方法。
【請求項９６】
少なくとも２つの年齢グループに関して前記１人あたりの額が異なる、請求項９５に記載の方法。
【請求項９７】
少なくとも１つの年齢グループに関して前記１人あたりの額が事実上ゼロである、請求項９６に記載の方法。
【請求項９８】
前記期間に前記広告に関して請求される前記総額を計算することが、前記期間中に前記広告に顔を向けた性別の人の前記総数がゼロより多い、少なくとも各前記性別について、前記期間中に前記広告に顔を向けた前記性別の人の前記総数に、前記性別に関する１人あたりの額を掛け、結果として前記性別に対する額が得られることと；各性別に対して前記結果として得られる額を一緒に合計することとを含む、請求項７９〜請求項９７のいずれか１つに記載の方法。
【請求項９９】
各性別に関して前記１人あたりの額が異なる、請求項９８に記載の方法。
【請求項１００】
１つの性別に関して前記１人あたりの額が事実上ゼロである、請求項９９に記載の方法。
【請求項１０１】
前記期間に前記広告に関して請求される前記総額を計算することが、複数の時刻グループの各１つの間に前記広告に顔を向けた人の総数がゼロより多い、少なくとも前記複数の時刻グループについて、前記時刻グループのうちの特定の１つの間に前記広告に顔を向けた人の前記総数に、前記時刻グループのうちの前記特定の１つに関する１人あたりの額を掛け、結果として前記複数の時刻グループの各１つに対する額が得られることと；前記複数の時刻グループの各１つに対して前記結果として得られる額を一緒に合計することとを含む、請求項７９〜請求項１００のいずれか１つに記載の方法。
【請求項１０２】
少なくとも２つの前記時刻グループに関して前記１人あたりの額が異なる、請求項１０１に記載の方法。
【請求項１０３】
少なくとも１つの前記時刻グループに関して前記１人あたりの額が事実上ゼロである、請求項１０２に記載の方法。
【請求項１０４】
前記期間に前記広告に関して請求される前記総額を計算することが、複数の日付グループの各１つの間に前記広告に顔を向けた人の総数がゼロより多い、少なくとも前記複数の日付グループについて、前記日付グループのうちの特定の１つの間に前記広告に顔を向けた人の前記総数に、前記日付グループのうちの前記特定の１つに関する１人あたりの額を掛け、結果として前記複数の日付グループの各１つに対する額が得られることと；前記複数の日付グループの各１つに対して前記結果として得られる額を一緒に合計することとを含む、請求項７９〜請求項１０３のいずれか１つに記載の方法。
【請求項１０５】
少なくとも２つの前記日付グループに関して前記１人あたりの額が異なる、請求項１０４に記載の方法。
【請求項１０６】
少なくとも１つの前記日付グループに関して前記１人あたりの額が事実上ゼロである、請求項１０５に記載の方法。
【請求項１０７】
前記期間に前記広告に関して請求される前記総額を計算することが、複数の場所のうちの各１つで前記広告に顔を向けた人の総数がゼロより多い、前記複数の場所について、前記複数の場所のうちの特定の場所で前記広告に顔を向けた人の前記総数に、前記特定の場所に関する１人あたりの額を掛け、結果として前記複数の場所の各１つに対する額が得られることと；前記複数の場所の各１つに対する前記額を一緒に合計することとを含む、請求項７９〜請求項１０６のいずれか１つに記載の方法。
【請求項１０８】
少なくとも２つの場所に関して前記１人あたりの額が異なる、請求項１０７に記載の方法。
【請求項１０９】
少なくとも１つの場所に関して前記１人あたりの額が事実上ゼロである、請求項１０８に記載の方法。
【請求項１１０】
前記期間に前記広告に関して請求される前記総額を計算することが、複数の継続期間グループの各１つの間に前記広告に顔を向けた人の総数がゼロより多い、前記広告に人の顔が向いた、少なくとも前記複数の継続期間グループについて、前記継続期間グループのうちの特定の１つの期間中に前記広告に顔を向けた人の前記総数に、前記継続期間グループのうちの前記特定の１つに関する１人あたりの額を掛け、結果として前記複数の継続期間グループの各１つに対する額が得られることと；前記複数の継続期間グループの各１つに対して前記結果として得られる額を一緒に合計することとを含む、請求項７９〜請求項１０９のいずれか１つに記載の方法。
【請求項１１１】
少なくとも２つの継続期間グループに関して前記１人あたりの額が異なる、請求項１１０に記載の方法。
【請求項１１２】
少なくとも１つの継続期間グループに関して前記１人あたりの額が事実上ゼロである、請求項１１１に記載の方法。
【請求項１１３】
前記広告が、デジタル媒体を介して提示される、請求項７９〜請求項１１２のいずれか１つに記載の方法。
【請求項１１４】
前記広告が、前記期間中、前記デジタル媒体を介して提示されている複数の広告のうちの１つである、請求項１１３に記載の方法。
【請求項１１５】
前記期間のうちの少なくとも一部の期間中に前記広告に顔を向けた前記人の人口統計に基づいて、前記期間中に、前記広告の時刻、日付、および提示頻度のうちの少なくとも１つを変更することをさらに含む、請求項１１３〜請求項１１４のいずれか１つに記載の方法。
【請求項１１６】
前記期間が、複数の下位期間に分割されていて；前記下位期間のうちの１つの間に前記広告に関して請求される総額を少なくとも定期的に再計算することと、前記下位期間のうちの前記１つの間に前記広告に関して請求される前記総額が、前記下位期間のうちの前記１つに対する予算額に達すると、前記下位期間のうちの前記１つの残りについて前記広告の提示頻度を減らすこととをさらに含む、請求項１１３〜請求項１１５のいずれか１つに記載の方法。
【請求項１１７】
前記期間が、複数の下位期間に分割されていて；前記下位期間のうちの１つの間に前記広告に関して請求される総額を少なくとも定期的に再計算することと、前記下位期間のうちの前記１つの間に前記広告に関して請求される前記総額が、前記下位期間のうちの前記１つに対する予算額に達すると、前記下位期間のうちの前記１つの残りについて前記広告の提示を停止することとをさらに含む、請求項１１３〜請求項１１６のいずれか１つに記載の方法。
【請求項１１８】
前記広告の提示を前記下位期間の後続の１つで再開することをさらに含む、請求項１１７に記載の方法。
【請求項１１９】
前記下位期間が数日である、請求項１１６〜請求項１１８のいずれか１つに記載の方法。
【請求項１２０】
現在までの前記広告に関して請求される前記総額を少なくとも定期的に再計算することと、現在までの前記広告に関して請求される前記総額が、前記広告に対する予算額に達すると、前記広告の提示を停止することとをさらに含む、請求項１１３〜請求項１１９のいずれか１つに記載の方法。
【請求項１２１】
前記デジタル媒体が、複数の関連したデジタル媒体の１つであり；前記期間のうちの少なくとも一部の期間中に前記広告に顔を向けた前記人の人口統計に基づいて、前記期間中に前記広告が提示される前記関連したデジタル媒体のうちの１つを変更することをさらに含む、請求項１１３〜請求項１２０のいずれか１つに記載の方法。
【請求項１２２】
前記デジタル媒体が、複数の関連したデジタル媒体の１つであり；前記期間のうちの少なくとも一部の期間中に前記広告に顔を向けた前記人の人口統計に基づいて、少なくとも２つの前記関連したデジタル媒体上での前記広告の時刻、日付、および提示頻度のうちの少なくとも１つを変更することをさらに含む、請求項１１３〜請求項１２１のいずれか１つに記載の方法。
【請求項１２３】
〔請求項セット４〕
ある期間中に屋外で出している広告に関して請求される額を計算する方法であって、
ａ）前記期間中に前記広告に顔を向けた人の総数を表すデータをデータベースから取得することであって、前記データが、前記期間中に前記広告の近くにいる人の顔が前記広告に向いていたかどうかを判断するために、前記人の画像の第１のコンピュータプロセッサによるコンピュータ処理から生じている、データをデータベースから取得することと、
ｂ）前記コンピュータプロセッサを通して、前記期間に前記広告に関して請求される総額を、前記期間中に前記広告に顔を向けた人の前記総数に応じて計算することと
を含む方法。
【請求項１２４】
ａ）が前記データをネットワーク経由で取得することを含む、請求項１２３に記載の方法。
【請求項１２５】
ａ）の前に、
ｉ）前記期間中に前記広告の近くにいる人の前記顔が前記広告に向いていることを示すデータを、ネットワーク経由で受信することであって、前記データが、前記人の前記顔が前記広告に向いているかどうかを判断するために、前記人の画像の第２のコンピュータプロセッサによるコンピュータ処理から生じている、データをネットワーク経由で受信することと、
ｉｉ）前記人の前記顔が前記広告に向いている場合、前記人の顔が前記広告に向いていることを示すデータを前記データベースに格納することと、
ｉｉｉ）前記期間中、ｉ）〜ｉｉ）を繰り返すことと
をさらに含む、請求項１２３に記載の方法。
【請求項１２６】
ａ）の前に、
ｉ）前記期間中に前記広告に顔を向けた人の前記総数を表す前記データをネットワーク経由で受信することであって、前記データが、前記期間中に前記広告の近くにいる人の前記顔が前記広告に向いているかどうかを判断するため、前記人の画像の第２のコンピュータプロセッサによるコンピュータ処理から生じている、前記データをネットワーク経由で受信することをさらに含む、請求項１２３に記載の方法。
【請求項１２７】
ａ）の前に、
ｉ）前記広告の近くにいる十分な人のデジタル画像を、前記人の顔が前記広告に向いているかどうかを判断するために、ネットワークを経由して、デジタルカメラから受信することと、
ｉｉ）前記人の顔が前記広告に向いているかどうかを判断するために、前記画像を前記第１のコンピュータプロセッサによって処理することと、
ｉｉｉ）前記人の顔が前記広告に向いている場合、前記人の顔が前記広告に向いていることを示すデータを前記データベースに格納することと、
ｉｖ）前記期間中、ｉ）〜ｉｉｉ）を繰り返すことと
をさらに含む、請求項１２３に記載の方法。
【請求項１２８】
前記期間に前記広告に関して請求される前記総額を計算することが、前記期間中に前記広告に顔を向けた人の前記総数に１人あたりの額を掛けることを含む、請求項１２３〜請求項１２７のいずれか１つに記載の方法。
【請求項１２９】
前記期間に前記広告に関して請求される前記総額を計算することが、前記期間中に前記広告に顔を向けた年齢グループの人の前記総数がゼロより多い、少なくとも各前記年齢グループについて、前記期間中に前記広告に顔を向けた前記年齢グループの人の前記総数に、前記年齢グループに関する１人あたりの額を掛け、結果として前記年齢グループに対する額が得られることと；各年齢グループに対して前記結果として得られる額を一緒に合計することとを含む、請求項１２３〜請求項１２８のいずれか１つに記載の方法。
【請求項１３０】
少なくとも２つの年齢グループに関して前記１人あたりの額が異なる、請求項１２９に記載の方法。
【請求項１３１】
少なくとも１つの年齢グループに関して前記１人あたりの額が事実上ゼロである、請求項１３０に記載の方法。
【請求項１３２】
前記期間に前記広告に関して請求される前記総額を計算することが、前記期間中に前記広告に顔を向けた性別の人の前記総数がゼロより多い、少なくとも各前記性別について、前記期間中に前記広告に顔を向けた前記性別の人の前記総数に、前記性別に関する１人あたりの額を掛け、結果として前記性別に対する額が得られることと；各性別に対して前記結果として得られる額を一緒に合計することとを含む、請求項１２３〜請求項１３１のいずれか１つに記載の方法。
【請求項１３３】
各性別に関して前記１人あたりの額が異なる、請求項１３２に記載の方法。
【請求項１３４】
１つの性別に関して前記１人あたりの額が事実上ゼロである、請求項１３３に記載の方法。
【請求項１３５】
前記期間に前記広告に関して請求される前記総額を計算することが、複数の時刻グループの各１つの間に前記広告に顔を向けた人の前記総数がゼロより多い、少なくとも前記複数の時刻グループについて、前記時刻グループのうちの特定の１つの間に前記広告に顔を向けた人の前記総数に、前記時刻グループのうちの前記特定の１つに関する１人あたりの額を掛け、結果として前記複数の時刻グループの各１つに対する額が得られることと；前記複数の時刻グループの各１つに対して前記結果として得られる額を一緒に合計することとを含む、請求項１２３〜請求項１３４のいずれか１つに記載の方法。
【請求項１３６】
少なくとも２つの前記時刻グループに関して前記１人あたりの額が異なる、請求項１３５に記載の方法。
【請求項１３７】
少なくとも１つの前記時刻グループに関して前記１人あたりの額が事実上ゼロである、請求項１３６に記載の方法。
【請求項１３８】
前記期間に前記広告に関して請求される総額を計算することが、複数の日付グループの各１つの間に前記広告に顔を向けた人の前記総数がゼロより多い、少なくとも前記複数の日付グループについて、前記日付グループのうちの特定の１つの間に前記広告に顔を向けた人の前記総数に、前記日付グループのうちの前記特定の１つに関する１人あたりの額を掛け、結果として前記複数の日付グループの各１つに対する額が得られることと；前記複数の日付グループの各１つに対して前記結果として得られる額を一緒に合計することとを含む、請求項１２３〜請求項１３７のいずれか１つに記載の方法。
【請求項１３９】
少なくとも２つの前記日付グループに関して前記１人あたりの額が異なる、請求項１３８に記載の方法。
【請求項１４０】
少なくとも１つの前記日付グループに関して前記１人あたりの額が事実上ゼロである、請求項１３９に記載の方法。
【請求項１４１】
前記期間に前記広告に関して請求される総額を計算することが、複数の場所のうちの各１つで前記広告に顔を向けた人の前記総数がゼロより多い、前記複数の場所について、前記複数の場所のうちの特定の場所で前記広告に顔を向けた人の前記総数に、前記特定の場所に関する１人あたりの額を掛け、結果として前記複数の場所の各１つに対する額が得られることと；前記複数の場所の各１つに対する前記額を一緒に合計することとを含む、請求項１２３〜請求項１４０のいずれか１つに記載の方法。
【請求項１４２】
少なくとも２つの場所に関して前記１人あたりの額が異なる、請求項１４１に記載の方法。
【請求項１４３】
少なくとも１つの場所に関して前記１人あたりの額が事実上ゼロである、請求項１４２に記載の方法。
【請求項１４４】
前記期間に前記広告に関して請求される総額を計算することが、複数の継続期間グループの各１つの間に前記広告に顔を向けた人の総数がゼロより多い、前記広告に人の顔が向いた、少なくとも前記複数の継続期間グループについて、前記継続期間グループのうちの特定の１つの期間中に前記広告に顔を向けた人の前記総数に、前記継続期間グループのうちの前記特定の１つに関する１人あたりの額を掛け、結果として前記複数の継続期間グループの各１つに対する額が得られることと；前記複数の継続期間グループの各１つに対して前記結果として得られる額を一緒に合計することとを含む、請求項１２３〜請求項１４３のいずれか１つに記載の方法。
【請求項１４５】
少なくとも２つの継続期間グループに関して前記１人あたりの額が異なる、請求項１４４に記載の方法。
【請求項１４６】
少なくとも１つの継続期間グループに関して前記１人あたりの額が事実上ゼロである、請求項１４５に記載の方法。
【請求項１４７】
前記広告が、デジタル媒体を介して提示される、請求項１２３〜請求項１４６のいずれか１つに記載の方法。
【請求項１４８】
前記広告が、前記期間中、前記デジタル媒体を介して提示されている複数の広告のうちの１つである、請求項１４７に記載の方法。
【請求項１４９】
前記期間のうちの少なくとも一部の期間中に前記広告に顔を向けた前記人の人口統計に基づいて、前記期間中に、前記広告の時刻、日付、および提示頻度のうちの少なくとも１つを変更させるために、コンピュータ実行可能命令をネットワーク経由で送信することをさらに含む、請求項１４７〜請求項１４８のいずれか１つに記載の方法。
【請求項１５０】
前記期間が、複数の下位期間に分割されていて；前記下位期間のうちの１つの間に前記広告に関して請求される総額を少なくとも定期的に再計算することと、前記下位期間のうちの前記１つの間に前記広告に関して請求される前記総額が、前記下位期間のうちの前記１つに対する予算額に達すると、前記下位期間のうちの前記１つの残りについて前記広告の提示頻度を減少させるために、コンピュータ実行可能命令をネットワーク経由で送信することとをさらに含む、請求項１４７〜請求項１４９のいずれか１つに記載の方法。
【請求項１５１】
前記期間が、複数の下位期間に分割されていて；前記下位期間のうちの１つの間に前記広告に関して請求される総額を少なくとも定期的に再計算することと、前記下位期間のうちの前記１つの間に前記広告に関して請求される前記総額が、前記下位期間のうちの前記１つに対する予算額に達すると、前記下位期間のうちの前記１つの残りについて前記広告の前記提示を停止させるために、コンピュータ実行可能命令をネットワーク経由で送信することとをさらに含む、請求項１４７〜請求項１５０のいずれか１つに記載の方法。
【請求項１５２】
前記広告の前記提示を前記下位期間の後続の１つで再開させるために、コンピュータ実行可能命令をネットワーク経由で送信することをさらに含む、請求項１５１に記載の方法。
【請求項１５３】
前記下位期間が数日である、請求項１４７〜請求項１５２のいずれか１つに記載の方法。
【請求項１５４】
現在までの前記広告に関して請求される前記総額を少なくとも定期的に再計算することと、現在までの前記広告に関して請求される前記総額が、前記広告に対する予算額に達すると、前記広告の前記提示を停止させるために、コンピュータ実行可能命令をネットワーク経由で送信することとをさらに含む、請求項１４７〜請求項１５３のいずれか１つに記載の方法。
【請求項１５５】
前記デジタル媒体が、複数の関連したデジタル媒体の１つであり；前記期間のうちの少なくとも一部の期間中に前記広告に顔を向けた前記人の人口統計に基づいて、前記期間中に前記広告が提示される前記関連したデジタル媒体のうちの１つを変更させるために、コンピュータ実行可能命令をネットワーク経由で送信することをさらに含む、請求項１４７〜請求項１５４のいずれか１つに記載の方法。
【請求項１５６】
前記デジタル媒体が、複数の関連したデジタル媒体の１つであり；前記期間のうちの少なくとも一部の期間中に前記広告に顔を向けた前記人の人口統計に基づいて、少なくとも２つの前記関連したデジタル媒体上での前記広告の時刻、日付、および提示頻度のうちの少なくとも１つを変更させるために、コンピュータ実行可能命令をネットワーク経由で送信することをさらに含む、請求項１４７〜請求項１５５のいずれか１つに記載の方法。
【請求項１５７】
請求項１〜請求項１４４のいずれか１つの前記方法を実行させるために、コンピュータプロセッサによって実行可能な命令を含むコンピュータ可読記憶媒体。
【請求項１５８】
〔請求項セット５〕
ある期間中に屋外で出している広告に関して請求される額を計算するためのシステムであって：
ａ）前記広告の近くにいる十分な人の画像を、前記人の目が前記広告に向いているかどうかを判断するために、デジタルカメラから取得する、デジタル画像取得コンポーネントと、
ｂ）前記人の目が前記広告に向いているかどうかを判断するために、前記画像を処理する、デジタル画像処理コンポーネントと、
ｃ）前記人の目が前記広告に向いている場合に、前記広告に前記人の目が向いたことを示すデータを格納するためのデータベースと、
ｄ）前記期間中に前記広告に目が向いている人の前記総数を表すデータを前記データベースから取得する取得コンポーネントと、
ｅ）前記期間に前記広告に関して請求される総額を、前記期間中に前記広告に目を向けた人の前記総数に応じて計算する、計算機コンポーネントと
を備えるシステム。
【請求項１５９】
前記デジタル画像取得コンポーネントが、前記デジタルカメラから前記人の顔の画像を取得する、請求項１５８に記載のシステム。
【請求項１６０】
前記画像を取得できるように、前記広告に対して位置付けられたデジタルカメラをさらに備える、請求項１５８〜請求項１５９のいずれか１つに記載のシステム。
【請求項１６１】
前記デジタルカメラが、前記広告と同じ一般的な方向に向けられているように位置付けられている、請求項１６０に記載のシステム。
【請求項１６２】
前記人の年齢グループを判断するために、前記デジタル画像処理コンポーネントが前記画像を処理する、請求項１５８〜請求項１６１のいずれか１つに記載のシステム。
【請求項１６３】
前記人の性別を判断するために、前記デジタル画像処理コンポーネントが前記画像を処理する、請求項１５８〜請求項１６２のいずれか１つに記載のシステム。
【請求項１６４】
前記画像を処理する前記デジタル画像処理コンポーネントが顔認識ソフトウェアを含む、請求項１５８〜請求項１６３のいずれか１つに記載のシステム。
【請求項１６５】
前記画像を処理する前記デジタル画像処理コンポーネントが顔認識ソフトウェアである、請求項１５８〜請求項１６４のいずれか１つに記載のシステム。
【請求項１６６】
前記画像が取得された時刻を示すデータが前記データベースに格納される、請求項１５８〜請求項１６５のいずれか１つに記載のシステム。
【請求項１６７】
前記画像が取得された日付を示すデータが前記データベースに格納される、請求項１５８〜請求項１６６のいずれか１つに記載のシステム。
【請求項１６８】
前記画像が取得された場所を示すデータが前記データベースに格納される、請求項１５８〜請求項１６７のいずれか１つに記載のシステム。
【請求項１６９】
前記画像が取得された前記場所を示す前記データが、位置決めシステムで取得される、請求項１６８に記載のシステム。
【請求項１７０】
前記人の目が前記広告に向いている継続期間を示すデータが前記データベースに格納される、請求項１５８〜請求項１６９のいずれか１つに記載のシステム。
【請求項１７１】
前記人の顔が前記広告に向いている継続期間を示すデータが前記データベースに格納される、請求項１５８〜請求項１７０のいずれか１つに記載のシステム。
【請求項１７２】
前記人の目が前記広告に向いていない場合、前記人の目が前記広告に向いていないことを示すデータが前記データベースに格納される、請求項１５８〜請求項１７１のいずれか１つに記載のシステム。
【請求項１７３】
前記計算機コンポーネントが、前記期間中に前記広告に目を向けた人の前記総数に１人あたりの額を掛けることによることを含む、前記期間に前記広告に関して請求される前記総額を計算する、請求項１５８〜請求項１７２のいずれか１つに記載のシステム。
【請求項１７４】
前記計算機コンポーネントが、前記期間中に前記広告に目を向けた年齢グループの人の総数がゼロより多い、少なくとも各前記年齢グループについて、前記期間中に前記広告に目を向けた前記年齢グループの人の前記総数に、前記年齢グループに関する１人あたりの額を掛け、結果として前記年齢グループに対する額が得られること；および各年齢グループに対して前記結果として得られる額を一緒に合計することによることを含む、前記期間に前記広告に関して請求される前記総額を計算する、請求項１５８〜請求項１７３のいずれか１つに記載のシステム。
【請求項１７５】
少なくとも２つの年齢グループに関して前記１人あたりの額が異なる、請求項１７４に記載のシステム。
【請求項１７６】
少なくとも１つの年齢グループに関して前記１人あたりの額が事実上ゼロである、請求項１７５に記載のシステム。
【請求項１７７】
前記計算機コンポーネントが、前記期間中に前記広告に目を向けた性別の人の前記総数がゼロより多い、少なくとも各前記性別について、前記期間中に前記広告に目を向けた前記性別の人の前記総数に、前記性別に関する１人あたりの額を掛け、結果として前記性別に対する額が得られること；および各性別に対して前記結果として得られる額を一緒に合計することによることを含む、前記期間に前記広告に関して請求される前記総額を計算する、請求項１５８〜請求項１７６のいずれか１つに記載のシステム。
【請求項１７８】
各性別に関して前記１人あたりの額が異なる、請求項１７７に記載のシステム。
【請求項１７９】
１つの性別に関して前記１人あたりの額が事実上ゼロである、請求項１７８に記載のシステム。
【請求項１８０】
前記計算機コンポーネントが、複数の時刻グループの各１つの間に前記広告に目を向けた人の総数がゼロより多い、少なくとも前記複数の時刻グループについて、前記時刻グループのうちの特定の１つの間に前記広告に目を向けた人の前記総数に、前記時刻グループのうちの前記特定の１つに関する１人あたりの額を掛け、結果として前記複数の時刻グループの各１つに対する額が得られること；および前記複数の時刻グループの各１つに対して前記結果として得られる額を一緒に合計することによることを含む、前記期間に前記広告に関して請求される前記総額を計算する、請求項１５８〜請求項１７９のいずれか１つに記載のシステム。
【請求項１８１】
少なくとも２つの前記時刻グループに関して前記１人あたりの額が異なる、請求項１８０に記載のシステム。
【請求項１８２】
少なくとも１つの前記時刻グループに関して前記１人あたりの額が事実上ゼロである、請求項１８１に記載のシステム。
【請求項１８３】
前記計算機コンポーネントが、複数の日付グループの各１つの間に前記広告に目を向けた人の総数がゼロより多い、少なくとも前記複数の日付グループについて、前記日付グループのうちの特定の１つの間に前記広告に目を向けた人の前記総数に、前記日付グループのうちの前記特定の１つに関する１人あたりの額を掛け、結果として前記複数の日付グループの各１つに対する額が得られること；および前記複数の日付グループの各１つに対して前記結果として得られる額を一緒に合計することによることを含む、前記期間に前記広告に関して請求される前記総額を計算する、請求項１５８〜請求項１８２のいずれか１つに記載のシステム。
【請求項１８４】
少なくとも２つの前記日付グループに関して前記１人あたりの額が異なる、請求項１８３に記載のシステム。
【請求項１８５】
少なくとも１つの前記日付グループに関して前記１人あたりの額が事実上ゼロである、請求項１８４に記載のシステム。
【請求項１８６】
前記計算機コンポーネントが、複数の場所のうちの各１つで前記広告に目を向けた人の総数がゼロより多い、前記複数の場所について、前記複数の場所のうちの特定の場所で前記広告に目を向けた人の前記総数に、前記特定の場所に関する１人あたりの額を掛け、結果として前記複数の場所の各１つに対する額が得られること；および前記複数の場所の各１つに対する前記額を一緒に合計することによることを含む、前記期間に前記広告に関して請求される前記総額を計算する、請求項１５８〜請求項１８５のいずれか１つに記載のシステム。
【請求項１８７】
少なくとも２つの場所に関して前記１人あたりの額が異なる、請求項１８６に記載のシステム。
【請求項１８８】
少なくとも１つの場所に関して前記１人あたりの額が事実上ゼロである、請求項１８７に記載のシステム。
【請求項１８９】
前記計算機コンポーネントが、複数の継続期間グループの各１つの間に前記広告に目を向けた人の総数がゼロより多い、前記広告に人の目が向いた、少なくとも前記複数の継続期間グループについて、前記継続期間グループのうちの特定の１つの期間中に前記広告に目を向けた人の前記総数に、前記継続期間グループのうちの前記特定の１つに関する１人あたりの額を掛け、結果として前記複数の継続期間グループの各１つに対する額が得られること；および前記複数の継続期間グループの各１つに対して前記結果として得られる額を一緒に合計することによることを含む、前記期間に前記広告に関して請求される前記総額を計算する、請求項１５８〜請求項１８８のいずれか１つに記載のシステム。
【請求項１９０】
少なくとも２つの継続期間グループに関して前記１人あたりの額が異なる、請求項１８９に記載のシステム。
【請求項１９１】
少なくとも１つの継続期間グループに関して前記１人あたりの額が事実上ゼロである、請求項１９０に記載のシステム。
【請求項１９２】
前記広告がそれを介して提示されるデジタル媒体をさらに備える、請求項１５８〜請求項１９１のいずれか１つに記載のシステム。
【請求項１９３】
前記広告が、前記期間中、前記デジタル媒体を介して提示されている複数の広告のうちの１つである、請求項１９２に記載のシステム。
【請求項１９４】
前記期間のうちの少なくとも一部の期間中に前記広告に目を向けた前記人の人口統計に基づいて、前記期間中に、前記広告の時刻、日付、および提示頻度のうちの少なくとも１つを変更する、広告管理コンポーネントをさらに備える、請求項１９２〜請求項１９３のいずれか１つに記載のシステム。
【請求項１９５】
前記期間が、複数の下位期間に分割されていて；前記下位期間のうちの１つの間に前記広告に関して請求される総額を少なくとも定期的に再計算し、前記下位期間のうちの前記１つの間に前記広告に関して請求される前記総額が、前記下位期間のうちの前記１つに対する予算額に達すると、前記下位期間のうちの前記１つの残りについて前記広告の提示頻度を減らす、財務管理コンポーネントをさらに備える、請求項１９２〜請求項１９４のいずれか１つに記載のシステム。
【請求項１９６】
前記期間が、複数の下位期間に分割されていて；前記下位期間のうちの１つの間に前記広告に関して請求される総額を少なくとも定期的に再計算し、前記下位期間のうちの前記１つの間に前記広告に関して請求される前記総額が、前記下位期間のうちの前記１つに対する予算額に達すると、前記下位期間のうちの前記１つの残りについて前記広告の提示を停止する、財務管理コンポーネントをさらに備える、請求項１９２〜請求項１９５のいずれか１つに記載のシステム。
【請求項１９７】
前記財務管理コンポーネントが、前記広告の提示を前記下位期間の後続の１つで再開する、請求項１９６に記載のシステム。
【請求項１９８】
前記下位期間が数日である、請求項１９５〜請求項１９７のいずれか１つに記載のシステム。
【請求項１９９】
現在までの前記広告に関して請求される前記総額を少なくとも定期的に再計算し、現在までの前記広告に関して請求される前記総額が前記広告に対する予算額に達すると、前記広告の提示を停止する、財務管理コンポーネントをさらに備える、請求項１９２〜請求項１９８のいずれか１つに記載のシステム。
【請求項２００】
前記デジタル媒体が、複数の関連したデジタル媒体の１つであり；前記期間のうちの少なくとも一部の期間中に前記広告に目を向けた前記人の人口統計に基づいて、前記期間中に前記広告が提示される前記関連したデジタル媒体のうちの１つを変更する、広告管理コンポーネントをさらに備える、請求項１９２〜請求項１９９のいずれか１つに記載のシステム。
【請求項２０１】
前記デジタル媒体が、複数の関連したデジタル媒体の１つであり；前記期間のうちの少なくとも一部の期間中に前記広告に目を向けた前記人の人口統計に基づいて、少なくとも２つの前記関連したデジタル媒体上での前記広告の時刻、日付、および提示頻度のうちの少なくとも１つを変更する、広告管理コンポーネントをさらに備える、請求項１９２〜請求項２００のいずれか１つに記載のシステム。
【請求項２０２】
〔請求項セット６〕
ある期間中に屋外で出している広告に関して請求される総額を計算するためのシステムであって：
ａ）前記期間中に前記広告に目を向けた人の総数を表すデータをデータベースから取得する取得コンポーネントであって、前記データが、前記期間中に前記広告の近くにいる人の前記目が前記広告に向いていたかどうかを判断するため、前記人の画像のコンピュータプロセッサによるコンピュータ処理から生じている、取得コンポーネントと、
ｂ）前記期間に前記広告に関して請求される総額を、前記期間中に前記広告に目を向けた人の前記総数に応じて計算する、計算機コンポーネントと
を備えるシステム。
【請求項２０３】
前記取得コンポーネントが、前記データをネットワーク経由で取得する、請求項２０２に記載のシステム。
【請求項２０４】
ｃ）前記期間中に前記広告に目を向けた人の総数を表す前記データを取得する前記取得コンポーネントの前に、前記期間中に前記広告の近くにいる人の前記目が前記広告に向いていることを示すデータをネットワーク経由で受信する、受信コンポーネントであって、前記データが、前記人の前記目が前記広告に向いているかどうかを判断するため、前記人の画像のコンピュータプロセッサによるコンピュータ処理から生じている、受信コンポーネントと、
ｄ）前記データベースであって、前記人の目が前記広告に向いている場合、前記人の目が前記広告に向いていることを示すデータを前記データベースに格納する、前記データベースと
をさらに備える、請求項２０２に記載のシステム。
【請求項２０５】
ｃ）前記期間中に前記広告に目を向けた人の総数を表す前記データを取得する前記取得コンポーネントの前に、前記期間中に前記広告に目を向けた人の前記総数を表す前記データをネットワーク経由で受信する、受信コンポーネントであって、前記データが、前記期間中に前記広告の近くにいる人の前記目が前記広告に向いているかどうかを判断するため、前記人の画像のコンピュータプロセッサによるコンピュータ処理から生じている、受信コンポーネント
をさらに備える、請求項２０２に記載のシステム。
【請求項２０６】
ｃ）前記期間中に前記広告に目を向けた人の総数を表す前記データを取得する前記取得コンポーネントの前に、前記広告の近くにいる十分な人の画像を、前記人の目が前記広告に向いているかどうかを判断するために、ネットワークを経由して、デジタルカメラから受信する、受信コンポーネントと、
ｄ）前記人の目が前記広告に向いているかどうかを判断するために、前記画像を処理するデジタル画像処理コンポーネントと、
ｅ）前記人の目が前記広告に向いている場合、前記人の目が前記広告に向いていることを示すデータを格納するためのデータベースと
をさらに備える、請求項２０２に記載のシステム。
【請求項２０７】
前記計算機コンポーネントが、前記期間中に前記広告に目を向けた人の前記総数に１人あたりの額を掛けることによることを含む、前記期間に前記広告に関して請求される前記総額を計算する、請求項２０２〜請求項２０６のいずれか１つに記載のシステム。
【請求項２０８】
前記計算機コンポーネントが、前記期間中に前記広告に目を向けた年齢グループの人の総数がゼロより多い、少なくとも各前記年齢グループについて、前記期間中に前記広告に目を向けた前記年齢グループの人の前記総数に、前記年齢グループに関する１人あたりの額を掛け、結果として前記年齢グループに対する額が得られること；および各年齢グループに対して前記結果として得られる額を一緒に合計することによることを含む、前記期間に前記広告に関して請求される前記総額を計算する、請求項２０２〜請求項２０７のいずれか１つに記載のシステム。
【請求項２０９】
少なくとも２つの年齢グループに関して前記１人あたりの額が異なる、請求項２０８に記載のシステム。
【請求項２１０】
少なくとも１つの年齢グループに関して前記１人あたりの額が事実上ゼロである、請求項２０９に記載のシステム。
【請求項２１１】
前記計算機コンポーネントが、前記期間中に前記広告に目を向けた性別の人の前記総数がゼロより多い、少なくとも各前記性別について、前記期間中に前記広告に目を向けた前記性別の人の前記総数に、前記性別に関する１人あたりの額を掛け、結果として前記性別に対する額が得られること；および各性別に対して前記結果として得られる額を一緒に合計することによることを含む、前記期間に前記広告に関して請求される前記総額を計算する、請求項２０２〜請求項２１０のいずれか１つに記載のシステム。
【請求項２１２】
各性別に関して前記１人あたりの額が異なる、請求項２１１に記載のシステム。
【請求項２１３】
１つの性別に関して前記１人あたりの額が事実上ゼロである、請求項２１２に記載のシステム。
【請求項２１４】
前記計算機コンポーネントが、複数の時刻グループの各１つの間に前記広告に目を向けた人の総数がゼロより多い、少なくとも前記複数の時刻グループについて、前記時刻グループのうちの特定の１つの間に前記広告に目を向けた人の前記総数に、前記時刻グループのうちの前記特定の１つに関する１人あたりの額を掛け、結果として前記複数の時刻グループの各１つに対する額が得られること；および前記複数の時刻グループの各１つに対して前記結果として得られる額を一緒に合計することによることを含む、前記期間に前記広告に関して請求される前記総額を計算する、請求項２０２〜請求項２１３のいずれか１つに記載のシステム。
【請求項２１５】
少なくとも２つの前記時刻グループに関して前記１人あたりの額が異なる、請求項２１４に記載のシステム。
【請求項２１６】
少なくとも１つの前記時刻グループに関して前記１人あたりの額が事実上ゼロである、請求項２１５に記載の方法。
【請求項２１７】
前記計算機コンポーネントが、複数の日付グループの各１つの間に前記広告に目を向けた人の総数がゼロより多い、少なくとも前記複数の日付グループについて、前記日付グループのうちの特定の１つの間に前記広告に目を向けた人の前記総数に、前記日付グループのうちの前記特定の１つに関する１人あたりの額を掛け、結果として前記複数の日付グループの各１つに対する額が得られること；および前記複数の日付グループの各１つに対して前記結果として得られる額を一緒に合計することによることを含む、前記期間に前記広告に関して請求される前記総額を計算する、請求項２０２〜請求項２１６のいずれか１つに記載のシステム。
【請求項２１８】
少なくとも２つの前記日付グループに関して前記１人あたりの額が異なる、請求項２１７に記載の方法。
【請求項２１９】
少なくとも１つの前記日付グループに関して前記１人あたりの額が事実上ゼロである、請求項２１８に記載の方法。
【請求項２２０】
前記計算機コンポーネントが、複数の場所のうちの各１つで前記広告に目を向けた人の総数がゼロより多い、前記複数の場所について、前記複数の場所のうちの特定の場所で前記広告に目を向けた人の前記総数に、前記特定の場所に関する１人あたりの額を掛け、結果として前記複数の場所の各１つに対する額が得られること；および前記複数の場所の各１つに対する前記額を一緒に合計することによることを含む、前記期間に前記広告に関して請求される前記総額を計算する、請求項２０２〜請求項２１９のいずれか１つに記載のシステム。
【請求項２２１】
少なくとも２つの場所に関して前記１人あたりの額が異なる、請求項２２０に記載のシステム。
【請求項２２２】
少なくとも１つの場所に関して前記１人あたりの額が事実上ゼロである、請求項２２１に記載のシステム。
【請求項２２３】
前記計算機コンポーネントが、複数の継続期間グループの各１つの間に前記広告に目を向けた人の総数がゼロより多い、前記広告に人の目が向いた、少なくとも前記複数の継続期間グループについて、前記継続期間グループのうちの特定の１つの期間中に前記広告に目を向けた人の前記総数に、前記継続期間グループのうちの前記特定の１つに関する１人あたりの額を掛け、結果として前記複数の継続期間グループの各１つに対する額が得られること；および前記複数の継続期間グループの各１つに対して前記結果として得られる額を一緒に合計することによることを含む、前記期間に前記広告に関して請求される前記総額を計算する、請求項２０２〜請求項２２２のいずれか１つに記載のシステム。
【請求項２２４】
少なくとも２つの継続期間グループに関して前記１人あたりの額が異なる、請求項２２３に記載のシステム。
【請求項２２５】
少なくとも１つの継続期間グループに関して前記１人あたりの額が事実上ゼロである、請求項２２４に記載の方法。
【請求項２２６】
前記広告がそれを介して提示されるデジタル媒体をさらに備える、請求項２０２〜請求項２２５のいずれか１つに記載のシステム。
【請求項２２７】
前記広告が、前記期間中、前記デジタル媒体を介して提示されている複数の広告のうちの１つである、請求項２２６に記載のシステム。
【請求項２２８】
前記期間のうちの少なくとも一部の期間中に前記広告に目を向けた前記人の人口統計に基づいて、前記期間中に、前記広告の時刻、日付、および提示頻度のうちの少なくとも１つを変更する広告管理コンポーネントをさらに備える、請求項２２６〜請求項２２７のいずれか１つに記載のシステム。
【請求項２２９】
前記期間が、複数の下位期間に分割されていて；前記下位期間のうちの１つの間に前記広告に関して請求される総額を少なくとも定期的に再計算し、前記下位期間のうちの前記１つの間に前記広告に関して請求される前記総額が、前記下位期間のうちの前記１つに対する予算額に達すると、前記下位期間のうちの前記１つの残りについて前記広告の提示頻度を減らす、財務管理コンポーネントをさらに備える、請求項２２６〜請求項２２８のいずれか１つに記載のシステム。
【請求項２３０】
前記期間が、複数の下位期間に分割されていて；前記下位期間のうちの１つの間に前記広告に関して請求される総額を少なくとも定期的に再計算し、前記下位期間のうちの前記１つの間に前記広告に関して請求される前記総額が、前記下位期間のうちの前記１つに対する予算額に達すると、前記下位期間のうちの前記１つの残りについて前記広告の提示を停止する、財務管理コンポーネントをさらに備える、請求項２２６〜請求項２２９のいずれか１つに記載のシステム。
【請求項２３１】
前記財務管理コンポーネントが、前記広告の提示を前記下位期間の後続の１つで再開する、請求項２３０に記載のシステム。
【請求項２３２】
前記下位期間が数日である、請求項２２９〜請求項２３１のいずれか１つに記載のシステム。
【請求項２３３】
現在までの前記広告に関して請求される前記総額を少なくとも定期的に再計算し、現在までの前記広告に関して請求される前記総額が前記広告に対する予算額に達すると、前記広告の提示を停止する、財務管理コンポーネントをさらに備える、請求項２２６〜請求項２３２のいずれか１つに記載のシステム。
【請求項２３４】
前記デジタル媒体が、複数の関連したデジタル媒体の１つであり；前記期間のうちの少なくとも一部の期間中に前記広告に目を向けた前記人の人口統計に基づいて、前記期間中に前記広告が提示される前記関連したデジタル媒体のうちの１つを変更する、広告管理コンポーネントをさらに備える、請求項２２６〜請求項２３３のいずれか１つに記載のシステム。
【請求項２３５】
前記デジタル媒体が、複数の関連したデジタル媒体の１つであり；前記期間のうちの少なくとも一部の期間中に前記広告に目を向けた前記人の人口統計に基づいて、少なくとも２つの前記関連したデジタル媒体上での前記広告の時刻、日付、および提示頻度のうちの少なくとも１つを変更する、広告管理コンポーネントをさらに備える、請求項２２６〜請求項２３４のいずれか１つに記載のシステム。
【請求項２３６】
〔請求項セット７〕
ある期間中に屋外で出している広告に関して請求される額を計算するためのシステムであって：
ａ）前記広告の近くにいる十分な人の画像を、前記人の顔が前記広告に向いているかどうかを判断するために、デジタルカメラから取得する、デジタル画像取得コンポーネントと、
ｂ）前記人の顔が前記広告に向いているかどうかを判断するために、前記画像を処理する、デジタル画像処理コンポーネントと、
ｃ）前記人の顔が前記広告に向いている場合に、前記広告に前記人の顔が向いていることを示すデータを格納するためのデータベースと、
ｄ）前記期間中に前記広告に顔が向いた人の前記総数を表すデータを前記データベースから取得する取得コンポーネントと、
ｅ）前記期間に前記広告に関して請求される総額を、前記期間中に前記広告に顔を向けた人の前記総数に応じて計算する、計算機コンポーネントと
を備えるシステム。
【請求項２３７】
前記デジタル画像取得コンポーネントが、前記デジタルカメラから前記人の顔の画像を取得する、請求項２３６に記載のシステム。
【請求項２３８】
前記画像を取得できるように、前記広告に対して位置付けられたデジタルカメラをさらに備える、請求項２３６〜請求項２３７のいずれか１つに記載のシステム。
【請求項２３９】
前記デジタルカメラが、前記広告と同じ一般的な方向に向けられているように位置付けられている、請求項２３８に記載のシステム。
【請求項２４０】
前記人の年齢グループを判断するために、前記デジタル画像処理コンポーネントが前記画像を処理する、請求項２３６〜請求項２３９のいずれか１つに記載のシステム。
【請求項２４１】
前記人の性別を判断するために、前記デジタル画像処理コンポーネントが前記画像を処理する、請求項２３６〜請求項２４０のいずれか１つに記載のシステム。
【請求項２４２】
前記画像を処理する前記デジタル画像処理コンポーネントが顔認識ソフトウェアを含む、請求項２３６〜請求項２４１のいずれか１つに記載のシステム。
【請求項２４３】
前記画像を処理する前記デジタル画像処理コンポーネントが顔認識ソフトウェアである、請求項２３６〜請求項２４２のいずれか１つに記載のシステム。
【請求項２４４】
前記画像が取得された時刻を示すデータが前記データベースに格納される、請求項２３６〜請求項２４３のいずれか１つに記載のシステム。
【請求項２４５】
前記画像が取得された日付を示すデータが前記データベースに格納される、請求項２３６〜請求項２４４のいずれか１つに記載のシステム。
【請求項２４６】
前記画像が取得された場所を示すデータが前記データベースに格納される、請求項２３６〜請求項２４５のいずれか１つに記載のシステム。
【請求項２４７】
前記画像が取得された前記場所を示す前記データが、位置決めシステムで取得される、請求項２４６に記載のシステム。
【請求項２４８】
前記人の顔が前記広告に向いている継続期間を示すデータが前記データベースに格納される、請求項２３６〜請求項２４７のいずれか１つに記載のシステム。
【請求項２４９】
前記人の顔が前記広告に向いている継続期間を示すデータが前記データベースに格納される、請求項２３６〜請求項２４８のいずれか１つに記載のシステム。
【請求項２５０】
前記人の顔が前記広告に向いていない場合、前記人の顔が前記広告に向いていないことを示すデータが前記データベースに格納される、請求項２３６〜請求項２４９のいずれか１つに記載のシステム。
【請求項２５１】
前記計算機コンポーネントが、前記期間中に前記広告に顔を向けた人の前記総数に１人あたりの額を掛けることによることを含む、前記期間に前記広告に関して請求される前記総額を計算する、請求項２３６〜請求項２５０のいずれか１つに記載のシステム。
【請求項２５２】
前記計算機コンポーネントが、前記期間中に前記広告に顔を向けた年齢グループの人の総数がゼロより多い、少なくとも各前記年齢グループについて、前記期間中に前記広告に顔を向けた前記年齢グループの人の前記総数に、前記年齢グループに関する１人あたりの額を掛け、結果として前記年齢グループに対する額が得られること；および各年齢グループに対して前記結果として得られる額を一緒に合計することによることを含む、前記期間に前記広告に関して請求される前記総額を計算する、請求項２３６〜請求項２５１のいずれか１つに記載のシステム。
【請求項２５３】
少なくとも２つの年齢グループに関して前記１人あたりの額が異なる、請求項２５２に記載のシステム。
【請求項２５４】
少なくとも１つの年齢グループに関して前記１人あたりの額が事実上ゼロである、請求項２５３に記載のシステム。
【請求項２５５】
前記計算機コンポーネントが、前記期間中に前記広告に顔を向けた性別の人の前記総数がゼロより多い、少なくとも各前記性別について、前記期間中に前記広告に顔を向けた前記性別の人の前記総数に、前記性別に関する１人あたりの額を掛け、結果として前記性別に対する額が得られること；および各性別に対して前記結果として得られる額を一緒に合計することによることを含む、前記期間に前記広告に関して請求される前記総額を計算する、請求項２３６〜請求項２５４のいずれか１つに記載のシステム。
【請求項２５６】
各性別に関して前記１人あたりの額が異なる、請求項２５５に記載のシステム。
【請求項２５７】
１つの性別に関して前記１人あたりの額が事実上ゼロである、請求項２５６に記載のシステム。
【請求項２５８】
前記計算機コンポーネントが、複数の時刻グループの各１つの間に前記広告に顔を向けた人の総数がゼロより多い、少なくとも前記複数の時刻グループについて、前記時刻グループのうちの特定の１つの間に前記広告に顔を向けた人の前記総数に、前記時刻グループのうちの前記特定の１つに関する１人あたりの額を掛け、結果として前記複数の時刻グループの各１つに対する額が得られること；および前記複数の時刻グループの各１つに対して前記結果として得られる額を一緒に合計することによることを含む、前記期間に前記広告に関して請求される前記総額を計算する、請求項２３６〜請求項２５７のいずれか１つに記載のシステム。
【請求項２５９】
少なくとも２つの前記時刻グループに関して前記１人あたりの額が異なる、請求項２５８に記載のシステム。
【請求項２６０】
少なくとも１つの前記時刻グループに関して前記１人あたりの額が事実上ゼロである、請求項２５９に記載のシステム。
【請求項２６１】
前記計算機コンポーネントが、複数の日付グループの各１つの間に前記広告に顔を向けた人の総数がゼロより多い、少なくとも前記複数の日付グループについて、前記日付グループのうちの特定の１つの間に前記広告に顔を向けた人の前記総数に、前記日付グループのうちの前記特定の１つに関する１人あたりの額を掛け、結果として前記複数の日付グループの各１つに対する額が得られること；および前記複数の日付グループの各１つに対して前記結果として得られる額を一緒に合計することによることを含む、前記期間に前記広告に関して請求される前記総額を計算する、請求項２３６〜請求項２６０のいずれか１つに記載のシステム。
【請求項２６２】
少なくとも２つの前記日付グループに関して前記１人あたりの額が異なる、請求項２６１に記載のシステム。
【請求項２６３】
少なくとも１つの前記日付グループに関して前記１人あたりの額が事実上ゼロである、請求項２６２に記載のシステム。
【請求項２６４】
前記計算機コンポーネントが、複数の場所のうちの各１つで前記広告に顔を向けた人の総数がゼロより多い、前記複数の場所について、前記複数の場所のうちの特定の場所で前記広告に顔を向けた人の前記総数に、前記特定の場所に関する１人あたりの額を掛け、結果として前記複数の場所の各１つに対する額が得られること；および前記複数の場所の各１つに対する前記額を一緒に合計することによることを含む、前記期間に前記広告に関して請求される前記総額を計算する、請求項２３６〜請求項２６３のいずれか１つに記載のシステム。
【請求項２６５】
少なくとも２つの場所に関して前記１人あたりの額が異なる、請求項２６４に記載のシステム。
【請求項２６６】
少なくとも１つの場所に関して前記１人あたりの額が事実上ゼロである、請求項２６５に記載のシステム。
【請求項２６７】
前記計算機コンポーネントが、複数の継続期間グループの各１つの間に前記広告に顔を向けた人の総数がゼロより多い、前記広告に人の顔が向いた、少なくとも前記複数の継続期間グループについて、前記継続期間グループのうちの特定の１つの期間中に前記広告に顔を向けた人の前記総数に、前記継続期間グループのうちの前記特定の１つに関する１人あたりの額を掛け、結果として前記複数の継続期間グループの各１つに対する額が得られること；および前記複数の継続期間グループの各１つに対して前記結果として得られる額を一緒に合計することによることを含む、前記期間に前記広告に関して請求される前記総額を計算する、請求項２３６〜請求項２６６のいずれか１つに記載のシステム。
【請求項２６８】
少なくとも２つの継続期間グループに関して前記１人あたりの額が異なる、請求項２６７に記載のシステム。
【請求項２６９】
少なくとも１つの継続期間グループに関して前記１人あたりの額が事実上ゼロである、請求項２６８に記載のシステム。
【請求項２７０】
前記広告がそれを介して提示されるデジタル媒体をさらに備える、請求項２３６〜請求項２６９のいずれか１つに記載のシステム。
【請求項２７１】
前記広告が、前記期間中、前記デジタル媒体を介して提示されている複数の広告のうちの１つである、請求項２７０に記載のシステム。
【請求項２７２】
前記期間のうちの少なくとも一部の期間中に前記広告に顔を向けた前記人の人口統計に基づいて、前記期間中に、前記広告の時刻、日付、および提示頻度のうちの少なくとも１つを変更する、広告管理コンポーネントをさらに備える、請求項２７０〜請求項２７１のいずれか１つに記載のシステム。
【請求項２７３】
前記期間が、複数の下位期間に分割されていて；前記下位期間のうちの１つの間に前記広告に関して請求される総額を少なくとも定期的に再計算し、前記下位期間のうちの前記１つの間に前記広告に関して請求される前記総額が、前記下位期間のうちの前記１つに対する予算額に達すると、前記下位期間のうちの前記１つの残りについて前記広告の提示頻度を減らす、財務管理コンポーネントをさらに備える、請求項２７０〜請求項２７２のいずれか１つに記載のシステム。
【請求項２７４】
前記期間が、複数の下位期間に分割されていて；前記下位期間のうちの１つの間に前記広告に関して請求される総額を少なくとも定期的に再計算し、前記下位期間のうちの前記１つの間に前記広告に関して請求される前記総額が、前記下位期間のうちの前記１つに対する予算額に達すると、前記下位期間のうちの前記１つの残りについて前記広告の提示を停止する、財務管理コンポーネントをさらに備える、請求項２７０〜請求項２７３のいずれか１つに記載のシステム。
【請求項２７５】
前記財務管理コンポーネントが、前記広告の提示を前記下位期間の後続の１つで再開する、請求項２７４に記載のシステム。
【請求項２７６】
前記下位期間が数日である、請求項２７３〜請求項２７５のいずれか１つに記載のシステム。
【請求項２７７】
現在までの前記広告に関して請求される前記総額を少なくとも定期的に再計算し、現在までの前記広告に関して請求される前記総額が前記広告に対する予算額に達すると、前記広告の提示を停止する、財務管理コンポーネントをさらに備える、請求項２７０〜請求項２７６のいずれか１つに記載のシステム。
【請求項２７８】
前記デジタル媒体が、複数の関連したデジタル媒体の１つであり；前記期間のうちの少なくとも一部の期間中に前記広告に顔を向けた前記人の人口統計に基づいて、前記期間中に前記広告が提示される前記関連したデジタル媒体のうちの１つを変更する、広告管理コンポーネントをさらに備える、請求項２７０〜請求項２７７のいずれか１つに記載のシステム。
【請求項２７９】
前記デジタル媒体が、複数の関連したデジタル媒体の１つであり；前記期間のうちの少なくとも一部の期間中に前記広告に顔を向けた前記人の人口統計に基づいて、少なくとも２つの前記関連したデジタル媒体上での前記広告の時刻、日付、および提示頻度のうちの少なくとも１つを変更する、広告管理コンポーネントをさらに備える、請求項２７０〜請求項２７８のいずれか１つに記載のシステム。
【請求項２８０】
〔請求項セット８〕
ある期間中に屋外で出している広告に関して請求される総額を計算するためのシステムであって：
ａ）前記期間中に前記広告に顔を向けた人の総数を表すデータをデータベースから取得する取得コンポーネントであって、前記データが、前記期間中に前記広告の近くにいる人の前記顔が前記広告に向いていたかどうかを判断するため、前記人の画像のコンピュータプロセッサによるコンピュータ処理から生じている、取得コンポーネントと、
ｂ）前記期間に前記広告に関して請求される総額を、前記期間中に前記広告に顔を向けた人の前記総数に応じて計算する、計算機コンポーネントと
を備えるシステム。
【請求項２８１】
前記取得コンポーネントが、前記データをネットワーク経由で取得する、請求項２８０に記載のシステム。
【請求項２８２】
ｃ）前記期間中に前記広告に顔を向けた人の総数を表す前記データを取得する前記取得コンポーネントの前に、前記期間中に前記広告の近くにいる人の前記顔が前記広告に向いていることを示すデータをネットワーク経由で受信する、受信コンポーネントであって、前記データが、前記人の前記顔が前記広告に向いているかどうかを判断するため、前記人の画像のコンピュータプロセッサによるコンピュータ処理から生じている、受信コンポーネントと、
ｄ）前記データベースであって、前記人の顔が前記広告に向いている場合、前記人の顔が前記広告に向いていることを示すデータを前記データベースに格納する、前記データベースと
をさらに備える、請求項２８０に記載のシステム。
【請求項２８３】
ｃ）前記期間中に前記広告に顔を向けた人の総数を表す前記データを取得する前記取得コンポーネントの前に、前記期間中に前記広告に顔を向けた人の前記総数を表す前記データをネットワーク経由で受信する、受信コンポーネントであって、前記データが、前記期間中に前記広告の近くにいる人の前記顔が前記広告に向いているかどうかを判断するため、前記人の画像のコンピュータプロセッサによるコンピュータ処理から生じている、受信コンポーネント
をさらに備える、請求項２８０に記載のシステム。
【請求項２８４】
ｃ）前記期間中に前記広告に顔を向けた人の総数を表す前記データを取得する前記取得コンポーネントの前に、前記広告の近くにいる十分な人の画像を、前記人の顔が前記広告に向いているかどうかを判断するために、ネットワークを経由して、デジタルカメラから受信する、受信コンポーネントと、
ｄ）前記人の顔が前記広告に向いているかどうかを判断するために、前記画像を処理するデジタル画像処理コンポーネントと、
ｅ）前記人の顔が前記広告に向いている場合、前記人の顔が前記広告に向いていることを示すデータを格納するためのデータベースと
をさらに備える、請求項２８０に記載のシステム。
【請求項２８５】
前記計算機コンポーネントが、前記期間中に前記広告に顔を向けた人の前記総数に１人あたりの額を掛けることによることを含む、前記期間に前記広告に関して請求される前記総額を計算する、請求項２８０〜請求項２８４のいずれか１つに記載のシステム。
【請求項２８６】
前記計算機コンポーネントが、前記期間中に前記広告に顔を向けた年齢グループの人の総数がゼロより多い、少なくとも各前記年齢グループについて、前記期間中に前記広告に顔を向けた前記年齢グループの人の前記総数に、前記年齢グループに関する１人あたりの額を掛け、結果として前記年齢グループに対する額が得られること；および各年齢グループに対して前記結果として得られる額を一緒に合計することによることを含む、前記期間に前記広告に関して請求される前記総額を計算する、請求項２８０〜請求項２８５のいずれか１つに記載のシステム。
【請求項２８７】
少なくとも２つの年齢グループに関して前記１人あたりの額が異なる、請求項２８６に記載のシステム。
【請求項２８８】
少なくとも１つの年齢グループに関して前記１人あたりの額が事実上ゼロである、請求項２８７に記載のシステム。
【請求項２８９】
前記計算機コンポーネントが、前記期間中に前記広告に顔を向けた性別の人の前記総数がゼロより多い、少なくとも各前記性別について、前記期間中に前記広告に顔を向けた前記性別の人の前記総数に、前記性別に関する１人あたりの額を掛け、結果として前記性別に対する額が得られること；および各性別に対して前記結果として得られる額を一緒に合計することによることを含む、前記期間に前記広告に関して請求される前記総額を計算する、請求項２８０〜請求項２８８のいずれか１つに記載のシステム。
【請求項２９０】
各性別に関して前記１人あたりの額が異なる、請求項２８９に記載のシステム。
【請求項２９１】
１つの性別に関して前記１人あたりの額が事実上ゼロである、請求項２９０に記載のシステム。
【請求項２９２】
前記計算機コンポーネントが、複数の時刻グループの各１つの間に前記広告に顔を向けた人の総数がゼロより多い、少なくとも前記複数の時刻グループについて、前記時刻グループのうちの特定の１つの間に前記広告に顔を向けた人の前記総数に、前記時刻グループのうちの前記特定の１つに関する１人あたりの額を掛け、結果として前記複数の時刻グループの各１つに対する額が得られること；および前記複数の時刻グループの各１つに対して前記結果として得られる額を一緒に合計することによることを含む、前記期間に前記広告に関して請求される前記総額を計算する、請求項２８０〜請求項２９１のいずれか１つに記載のシステム。
【請求項２９３】
少なくとも２つの前記時刻グループに関して前記１人あたりの額が異なる、請求項２９２に記載のシステム。
【請求項２９４】
少なくとも１つの前記時刻グループに関して前記１人あたりの額が事実上ゼロである、請求項２９３に記載のシステム。
【請求項２９５】
前記計算機コンポーネントが、複数の日付グループの各１つの間に前記広告に顔を向けた人の総数がゼロより多い、少なくとも前記複数の日付グループについて、前記日付グループのうちの特定の１つの間に前記広告に顔を向けた人の前記総数に、前記日付グループのうちの前記特定の１つに関する１人あたりの額を掛け、結果として前記複数の日付グループの各１つに対する額が得られること；および前記複数の日付グループの各１つに対して前記結果として得られる額を一緒に合計することによることを含む、前記期間に前記広告に関して請求される前記総額を計算する、請求項２８０〜請求項２９４のいずれか１つに記載のシステム。
【請求項２９６】
少なくとも２つの前記日付グループに関して前記１人あたりの額が異なる、請求項２９５に記載のシステム。
【請求項２９７】
少なくとも１つの前記日付グループに関して前記１人あたりの額が事実上ゼロである、請求項２９６に記載のシステム。
【請求項２９８】
前記計算機コンポーネントが、複数の場所のうちの各１つで前記広告に顔を向けた人の前記総数がゼロより多い、前記複数の場所について、前記複数の場所のうちの特定の場所で前記広告に顔を向けた人の前記総数に、前記特定の場所に関する１人あたりの額を掛け、結果として前記複数の場所の各１つに対する額が得られること；および前記複数の場所の各１つに対する前記額を一緒に合計することによることを含む、前記期間に前記広告に関して請求される前記総額を計算する、請求項２８０〜請求項２９７のいずれか１つに記載のシステム。
【請求項２９９】
少なくとも２つの場所に関して前記１人あたりの額が異なる、請求項２９８に記載のシステム。
【請求項３００】
少なくとも１つの場所に関して前記１人あたりの額が事実上ゼロである、請求項２９９に記載のシステム。
【請求項３０１】
前記計算機コンポーネントが、複数の継続期間グループの各１つの間に前記広告に顔を向けた人の総数がゼロより多い、前記広告に人の顔が向いた、少なくとも前記複数の継続期間グループについて、前記継続期間グループのうちの特定の１つの期間中に前記広告に顔を向けた人の前記総数に、前記継続期間グループのうちの前記特定の１つに関する１人あたりの額を掛け、結果として前記複数の継続期間グループの各１つに対する額が得られること；および前記複数の継続期間グループの各１つに対して前記結果として得られる額を一緒に合計することによることを含む、前記期間に前記広告に関して請求される前記総額を計算する、請求項２８０〜請求項３００のいずれか１つに記載のシステム。
【請求項３０２】
少なくとも２つの継続期間グループに関して前記１人あたりの額が異なる、請求項３０１に記載のシステム。
【請求項３０３】
少なくとも１つの継続期間グループに関して前記１人あたりの額が事実上ゼロである、請求項３０２に記載のシステム。
【請求項３０４】
前記広告がそれを介して提示されるデジタル媒体をさらに備える、請求項２８０〜請求項３０３のいずれか１つに記載のシステム。
【請求項３０５】
前記広告が、前記期間中、前記デジタル媒体を介して提示されている複数の広告のうちの１つである、請求項３０４に記載のシステム。
【請求項３０６】
前記期間のうちの少なくとも一部の期間中に前記広告に顔を向けた前記人の人口統計に基づいて、前記期間中に、前記広告の時刻、日付、および提示頻度のうちの少なくとも１つを変更する広告管理コンポーネントをさらに備える、請求項３０４〜請求項３０５のいずれか１つに記載のシステム。
【請求項３０７】
前記期間が、複数の下位期間に分割されていて；前記下位期間のうちの１つの間に前記広告に関して請求される総額を少なくとも定期的に再計算し、前記下位期間のうちの前記１つの間に前記広告に関して請求される前記総額が、前記下位期間のうちの前記１つに対する予算額に達すると、前記下位期間のうちの前記１つの残りについて前記広告の提示頻度を減らす、財務管理コンポーネントをさらに備える、請求項３０４〜請求項３０６のいずれか１つに記載のシステム。
【請求項３０８】
前記期間が、複数の下位期間に分割されていて；前記下位期間のうちの１つの間に前記広告に関して請求される総額を少なくとも定期的に再計算し、前記下位期間のうちの前記１つの間に前記広告に関して請求される前記総額が、前記下位期間のうちの前記１つに対する予算額に達すると、前記下位期間のうちの前記１つの残りについて前記広告の提示を停止する、財務管理コンポーネントをさらに備える、請求項３０４〜請求項３０７のいずれか１つに記載のシステム。
【請求項３０９】
前記財務管理コンポーネントが、前記広告の提示を前記下位期間の後続の１つで再開する、請求項３０８に記載のシステム。
【請求項３１０】
前記下位期間が数日である、請求項３０７〜請求項３０９のいずれか１つに記載のシステム。
【請求項３１１】
現在までの前記広告に関して請求される前記総額を少なくとも定期的に再計算し、現在までの前記広告に関して請求される前記総額が前記広告に対する予算額に達すると、前記広告の提示を停止する、財務管理コンポーネントをさらに備える、請求項３０４〜請求項３１０のいずれか１つに記載のシステム。
【請求項３１２】
前記デジタル媒体が、複数の関連したデジタル媒体の１つであり；前記期間のうちの少なくとも一部の期間中に前記広告に顔を向けた前記人の人口統計に基づいて、前記期間中に前記広告が提示される前記関連したデジタル媒体のうちの１つを変更する、広告管理コンポーネントをさらに備える、請求項３０４〜請求項３１１のいずれか１つに記載のシステム。
【請求項３１３】
前記デジタル媒体が、複数の関連したデジタル媒体の１つであり；前記期間のうちの少なくとも一部の期間中に前記広告に顔を向けた前記人の人口統計に基づいて、少なくとも２つの前記関連したデジタル媒体上での前記広告の時刻、日付、および提示頻度のうちの少なくとも１つを変更する、広告管理コンポーネントをさらに備える、請求項３０４〜請求項３１２のいずれか１つに記載のシステム。
【発明の詳細な説明】
【技術分野】
【０００１】
本発明は、屋外広告に関する方法、装置、およびシステムに関する。
【背景技術】
【０００２】
屋外広告は、消費者が自宅外にいる間に消費者に向けられている、本質的にあらゆるタイプの広告を含む広告市場の重要な部分である。屋外広告は、従って、放送、印刷物またはインターネット媒体（人々は、実際には自宅外にいる間に、これらのタイプの媒体の１つを見得るという事実にも関わらず）以外の全ての種類の広告に及ぶ。屋外広告のいくつかの（限定されない）例には、（ｉ）広告板（例えば、紙の広告版、デジタル広告版など）、（ｉｉ）ストリートファニーチャ（例えば、バス待合所、ニュースラック、モールキオスク、公衆電話ボックスなど）（ｉｉｉ）交通広告（例えば、バス、電車、地下鉄、トラック、およびタクシー上の広告；駅内、プラットフォーム上、および空港内の広告）、ならびに（ｉｖ）他の広告（トイレ内、競技場内、ガソリンポンプ上、バイクラック上など、全ての非暫定広告を含む）を含む。
【０００３】
費用に関して、屋外広告に使用される媒体の所有者は、慣例的に、その媒体の使用に対して、通常は均一の固定価格を請求しない。任意の個別の特定媒体の価格は、その特定媒体が位置している市場の人口統計学的な人口、その特定媒体の実際の特定位置、特定媒体が広告の過程において受けるであろう通行（ｔｒａｆｆｉｃ）量、および特定媒体の使用に対する需要を含む、従来型の要因の数に応じて変わるであろう。明らかな一例を挙げると、米国ニューヨーク州ニューヨーク市タイムズスクエアにある広告板のクリスマスにおける時間あたりの費用は、米国ニューメキシコ州の田舎の砂漠地帯にあるハイウェイ沿いの広告板の同じ時期における時間あたりの費用より遥かに高いであろう。
【０００４】
特定の媒体が広告の過程において受けるであろう通行量に関して、伝統的な従来型の通行の測定単位は、「一日の有効露出量（ｄａｉｌｙ  ｅｆｆｅｃｔｉｖｅ  ｃｉｒｃｕｌａｔｉｏｎ）」または「ＤＥＣ」と呼ばれる。特定の広告媒体に対するＤＥＣは、１２時間（午前６時〜午後６時まで−ここで媒体は照らされていない）または１８時間（午前６時〜深夜１２時まで−ここで媒体は照らされている）のいずれかの間に、その媒体を通り過ぎて、潜在的にさらされる成人（１８歳以上の人）の数を表す。特定の媒体に対するＤＥＣは、統計値が基準にできる適切なサンプルデータを測定した後、統計的手段によって計算される。ＤＥＣは、広告媒体が、その媒体に対するＤＥＣに関して人口統計学の論理的に考えられる像を得るために基準にされる、その人口の人口統計学データと組み合わせることができる。ＤＥＣは、実際に広告を見た人ではなく、広告に潜在的にさらされる成人のみを測定するという点において限界がある。
【０００５】
さらに新しい測定法（ＤＥＣを増強し、その欠点を克服しようとする）は、「印象に対する視線（ｅｙｅｓ  ｏｎ  ｉｍｐｒｅｓｓｉｏｎｓ）」または「ＥＯＩ」と呼ばれる。ＥＯＩは、広告にさらされて、潜在的にそれを見ることができ得るだけの人ではなく、特定の媒体上の広告を実際に見るであろう人の数を測定しようとする。例えば、ＣＢＳ  Ｏｕｔｄｏｏｒのウェブサイト（ＣＢＳ  Ｏｕｔｄｏｏｒは、屋外広告市場の主要な参加者である）によれば、ＥＯＩは、（道路沿いの広告板に関して言えば）「サイズ、道路からの距離、照明、および広告板の消費者に対する効果に影響を及ぼす他の要因などのコンテキストを追加する」ことによってＤＥＣを増強する（例えば、ｈｔｔｐ：／／ｗｗｗ．ｃｂｓｏｕｔｄｏｏｒ．ｃｏｍ／ｔｏｏｌｓ／ｒｅｓｏｕｒｃｅｓ／ｅｙｅｏｎｏｕｔ−ｏｆ−ｈｏｍｅｍｅｄｉａｍｅａｓｕｒｅｍｅｎｔ．ａｓｐｘを参照、これは、参照により本明細書に組み込まれる）。ＥＯＩは（少なくとも理論上は）、少なくとも現在の統計モデルが許可する限り、特定の媒体上に置かれた広告を実際に見るであろう人のより合理的で正確な測定値を提供する。ＥＯＩは、かかる人の人口統計学データも提供しようとするが、それは、前述したようにＤＥＣを使用するよりも、実際に広告を見た人の人口統計学データのより良い推定値である。
【０００６】
屋外広告媒体は、通常、コストパーサウザンド露出（ｃｏｓｔ  ｐｅｒ  ｔｈｏｕｓａｎｄ  ｅｘｐｏｓｕｒｅｓ）または「ＣＰＭ」で値段を設定されるので、ＤＥＣおよびＥＯＩは、広告業界において重要である。特定の媒体上に広告を出す１日あたりの総費用を計算するためには、ＤＥＣ／ＥＯＩおよびＣＰＭを知る必要があるが、媒体上での広告に対する１日あたりの総費用は、ＤＥＣまたはＥＯＩ×ＣＰＭである（この計算を容易にするため、ＤＥＣおよびＥＯＩは通常、１０００単位で表される）。
【０００７】
ＤＥＣ（人口統計学データとともに）またはＥＯＩは、媒体上の広告を実際に（統計学がこれを決定されたものとして認める範囲において）見るであろう特定の対象とする人口統計における人数に基づいて、広告主（または彼らの広告代理店）が個々の広告媒体を選択できるようにし得るという点において、広告主にとっても重要であり得る。
【０００８】
ＤＥＣまたはＥＯＩの使用は、広告市場において現在受け入れられている方法であるが、それでもなお改善が可能である。
【発明の概要】
【発明が解決しようとする課題】
【０００９】
従って、本発明の目的は、ＤＥＣまたはＥＯＩを使用した広告の費用を見積もる従来型の方法に対して改善を提供することである。
【課題を解決するための手段】
【００１０】
本発明人は、屋外広告業界は、本明細書で上述した測定法に関してうまく機能しているという事実にもかかわらず、それでもなお改善が可能であることに気が付いた。具体的には、本発明人は、業界関係者が行うＤＥＣおよび／またはＥＯＩの様々な使用のうちの少なくともいくつか、および、特に、請求に関連した使用は、より小さい測定値および統計的技法を使用してこの数を推定するだけでなく、特定の期間中に、特定の媒体上の広告を実際に見た人の実数の測定が可能であれば、改善されるであろうことに気が付いた。これを行うために、広い意味で、一態様では、本発明は、関連期間中に特定の広告のすぐ近くにいた人のデジタル画像のコンピュータ処理を伴い、その人の目または顔（場合による）が実際に広告に向いているかどうかを判断する（そして、もしそうであれば、その人は広告を見たと考えられるであろう）。このように、広告の近くに来る各人（または広告の近くに来る少なくともほとんどの人−間違いのないシステムはない）の目または顔（場合による）の方向がそうであると分析される場合、その期間中にその広告を実際に見た人のはるかに正確な総数を集めることができる（従来の統計的方法に比べて）。このような方法で、広告主は、何らかの推定数とは対照的に、広告を見た人の実数について請求され得る。このシステムの実施形態は、以下で説明する他の潜在的な利点（実施形態によって異なる）を有し得る。
【００１１】
従って、第１の態様では、ある期間中に屋外で出している広告に関して請求される額を計算する方法を提供する本発明の実施形態があるが、それは：ａ）その期間中に広告に目（または顔−場合による）が向いた人の総数を：ｉ）その人の目（または顔−場合による）が広告に向いているかどうかを判断するために、デジタルカメラを用いて、その広告の近くにいる十分な人の画像を取得すること；ｉｉ）その人の目（または顔−場合による）がその広告に向いているかどうかを判断するために、その画像をコンピュータプロセッサによって処理すること；ｉｉｉ）その人の目（または顔−場合による）がその広告に向いている場合、その人の目（または顔−場合による）がその広告に向いていることを示すデータをデータベースに格納すること；およびｉｖ）期間中、ｉ）〜ｉｉｉ）までを繰り返すこと：を含む部分的方法によって判断すること；ｂ）期間中に目（または顔−場合による）がその広告に向いた人の総数の表すデータをデータベースから取得すること；ならびにｃ）その期間にその広告に関して請求される総額を、その期間中にその広告に目（または顔−場合による）（表現を簡潔にするため、「（または顔−場合による）」は、本明細書において以下では繰り返されないが、上と同様に、存在するものと一般に理解されるべきである）が向いた人の総数に応じて、コンピュータプロセッサを用いて計算することを含む。同様に、前述の方法を実行させるために、コンピュータプロセッサによって実行可能な命令を含むコンピュータ可読記憶媒体を提供する、本発明の実施形態がある。同様に、ある期間中に屋外で出している広告に関して請求される額を計算するためのシステムを提供する本発明の実施形態があり、それは：ａ）その広告の近くにいる十分な人の画像を、その人の目がその広告に向いているかどうかを判断するために、デジタルカメラから取得するデジタル画像取得コンポーネント；ｂ）その人の目がその広告に向いているかどうかを判断するために、その画像を処理するデジタル画像処理コンポーネント；ｃ）その人の目がその広告に向いている場合に、その人の目がその広告に向いたことを示すデータを格納するためのデータベース；ｄ）期間中にその広告に目が向いている人の総数を表すデータをデータベースから取得する取得コンポーネント；およびｅ）その期間にその広告に関して請求される総額を、その期間中にその広告に目を向けた人の総数に応じて計算する、計算機コンポーネントを含む。
【００１２】
第２の態様では、ある期間中に屋外で出している広告に関して請求される額を計算する方法を提供する本発明の実施形態があるが、それは：ａ）その期間中にその広告に目を向けた人の総数を表すデータをデータベースから取得することであって、そのデータが、その人の目が広告に向いていたかどうかを判断するため、その間中にその広告の近くにいた人の画像の第１のコンピュータプロセッサによるコンピュータ処理から生じている、データをデータベースから取得すること；およびｂ）その期間に広告に関して請求される総額を、第２のコンピュータプロセッサを用いて、その期間中にその広告に目を向けた人の総数に応じて計算することを含む。いくつかの実施形態では、データを取得することは、ネットワーク経由でデータを取得することを含む。同様に、前述の方法を実行させるために、コンピュータプロセッサによって実行可能な命令を含むコンピュータ可読記憶媒体を提供する、本発明の実施形態がある。同様に、ある期間中に屋外で出している広告に関して請求される額を計算するためのシステムを提供する本発明の実施形態があり、それは：ａ）その期間中にその広告に目を向けた人の総数を表すデータをデータベースから取得する取得コンポーネントであって、そのデータが、その期間中にその広告の近くにいた人の目が広告に向いていたかどうかを判断するため、その人の画像のコンピュータプロセッサによるコンピュータ処理から生じている、取得コンポーネント；およびｂ）その期間に広告に関して請求される総額を、その期間中にその広告に目を向けた人の総数に応じて計算する計算機コンポーネントを含む。
【００１３】
この第２の態様は、本発明のネットワーク性にさらに直接的に集中している。従って、本発明を実施するために必要な全てのハードウェアおよびソフトウェアを１つの場所で持つことは可能であるが、その必要はない。多くの実施形態では、様々なコンポーネントが同じ場所になく、ともにネットワークで接続されている。かかる状況では、一般に、カメラの操作を引き起こすソフトウェアおよび請求される額を計算するソフトウェアは、異なる場所にある異なるマシン上で実行されるであろう。必要な残りのソフトウェアは、それらの場所の１つまたは全く異なる場所のいずれかにあり得る。これは、様々なコンポーネントがある時点で互いに通信できる限り、可能である。
【００１４】
従って、この第２の態様のいくつかの実施形態では、データを取得する前に、本方法は、ｉ）期間中にその広告の近くにいた人の目がその広告に向いていることを示すデータを、ネットワーク経由で受信することであって、そのデータが、その人の目が広告に向いているかどうかを判断するため、その人の画像のコンピュータプロセッサによるコンピュータ処理から生じている、データをネットワーク経由で受信すること；ｉｉ）その人の目がその広告に向いていることを示すデータをデータベースに格納すること；およびｉｉｉ）期間中、ｉ）〜ｉｉ）を繰り返すことをさらに含む。同様に、前述の方法を実行させるために、コンピュータプロセッサによって実行可能な命令を含むコンピュータ可読記憶媒体を提供する、本発明の実施形態がある。同様に、この第２の態様の前述したシステムを提供する、本発明の実施形態があり、それは、ｃ）その期間中にその広告に目を向けた人の総数を表すデータを取得する取得コンポーネントの前に、その期間中に広告の近くにいた人の目がその広告に向いていることを示すデータをネットワーク経由で受信する、受信コンポーネントであって、そのデータが、その人の目が広告に向いているかどうかを判断するため、その人の画像のコンピュータプロセッサによるコンピュータ処理から生じている、受信コンポーネント；およびｄ）データベースであって、その人の目がその広告に向いている場合、その人の目がその広告に向いていることを示すデータをデータベースに格納する、データベースをさらに含む。従って、これら特定の実施形態では、データは、中央データベースに格納されるが、画像の処理はリモートで起こる。
【００１５】
この第２の態様のいくつかの実施形態では、データを取得する前に、本方法は、ｉ）その期間中にその広告に目を向けた人の総数を表すデータをネットワーク経由で受信することであって、そのデータが、その期間中にその広告の近くにいる人の目が広告に向いているかどうかを判断するため、その人の画像のコンピュータプロセッサによるコンピュータ処理から生じている、データをネットワーク経由で受信することをさらに含む。同様に、前述の方法を実行させるために、コンピュータプロセッサによって実行可能な命令を含むコンピュータ可読記憶媒体を提供する、本発明の実施形態がある。同様に、この第２の態様の前述したシステムを提供する、本発明の実施形態があり、それは、その期間中にその広告に目を向けた人の総数を表すデータを取得する取得コンポーネントの前に、その期間中にその広告に目を向けた人の総数を表すデータをネットワーク経由で受信する、受信コンポーネントであって、データが、その期間中にその広告の近くにいる人の目が広告に向いているかどうかを判断するため、その人の画像のコンピュータプロセッサによるコンピュータ処理から生じている、受信コンポーネントをさらに含む。従って、これら特定の実施形態では、データは中央位置に格納されない。
【００１６】
この第２の態様のいくつかの実施形態では、データを取得する前に、本方法は、ｉ）広告の近くにいる十分な人のデジタル画像を、その人の目が広告に向いているかどうかを判断するために、ネットワークを経由してデジタルカメラから受信すること；ｉｉ）その人の目が広告に向いているかどうかを判断するために、その画像をコンピュータプロセッサによって処理すること；ｉｉｉ）その人の目がその広告に向いている場合、その人の目がその広告に向いていることを示すデータをデータベースに格納すること；ｉｖ）期間中、ｉ）〜ｉｉｉ）を繰り返すことをさらに含む。同様に、前述の方法を実行させるために、コンピュータプロセッサによって実行可能な命令を含むコンピュータ可読記憶媒体を提供する、本発明の実施形態がある。同様に、ｃ）期間中にその広告に目を向けた人の総数を表すデータを取得する取得コンポーネントの前に、広告の近くにいる十分な人の画像を、その人の目が広告に向いているかどうかを判断するために、ネットワークを経由してデジタルカメラから受信する受信コンポーネント；ｄ）その人の目が広告に向いているかどうかを判断するために、その画像を処理するデジタル画像処理コンポーネント；およびｅ）その人の目がその広告に向いている場合、その人の目がその広告に向いていることを示すデータを格納するためのデータベースを提供する本発明の実施形態がある。従って、これら特定の実施形態では、中央で、画像が処理され、データが格納される。
【００１７】
両方の態様に関して、「匿名顔認識ソフトウェア」として知られているソフトウェア（または、同様の機能をサービスする他のソフトウェア）と一緒に、広告に対して適切に置かれたデジタルカメラから取得された適切な画像を使用すると、ある期間にわたって、広告を実際に見た人の正確な数を得ることが可能である（期間は、かかる測定を行いたい任意の期間であり得る。その期間が、広告を出している全期間でないことがあり得る一般的な理由はない。しかし、所望であれば、その期間は、広告を出している全期間のうちのいくつかの部分であり得る。この点に関して制限はない）。匿名顔認識ソフトウェアは、その目的が、特定の人を画像から識別することではない（実際に、これを行わない）ので、この状況で最も良く機能する。その目的は、人の顔の部分を識別することだけで、この場合はおそらく、特に人の目、およびその人がどこに位置しているか（この場合、特に、人がどこを見ているかを識別するのに役立つ）が最も重要である。人の目または顔のどちらかが、使用されているソフトウェアおよび使用されるためにどのようにプログラムされているかに応じて処理されている変数として使用され得る。どちらも、本発明に関して機能するが、以下で説明するように、人の顔全体を使用すると、（以下でさらに詳述するように）おそらくは役に立つであろう追加の人口統計学情報をもたらす。
【００１８】
広告に目／顔を向けた人の現在までの合計が保持され得る（保持されることが要求されていないにもかかわらずである。多くの場合効率は悪いが、人の画像が処理されるごとに一意のデータがデータベースに格納され、次いで、将来のある時に単に総計が作成されることが可能である）。少なくとも広告に対する請求と関連して、広告に目／顔を向けた人の総数が取得され、請求される額の計算で使用される。請求される額は、この数の関数（数学の用語で）である。それは、期間中に広告に目／顔を向けた人の総数に１人あたりの額を掛けて、総額を得るくらい簡単であり得る。もしくは、もっと複雑な関数であり得る。もっと複雑な関数のいくつかの例を以下に示す。本発明は、特定の関数によって制限されない。
【００１９】
本コンテキストでは、「１人あたりの額」は、実際の乗数が１人あたりの額である必要があると理解されるべきではなく、実際には何か別のものであるが、有効に１人あたりの額であり得る。一例では、１０００人あたりの額（通常、業界標準であるように）を、本コンテキストの「１人あたりの額」と見なすであろう。この点に関して、１人あたりの実際の額が直接または間接に計算され得る額を「１人あたりの額」と見なすであろう。
【００２０】
本発明の実施形態は、必須で適切な画像を取ることが技術的に可能である、任意のタイプの屋外広告に対して機能するであろう（使用される本発明に対して単に技術的に可能であるということは、全ての状況で、その使用が有用か、望ましいか、または適法でさえある得ることを意味しない）。単純な例として、空港の国内線手荷物受取所に配置された単一のデジタル媒体パネルがあるが、それは、広告のちょうど真上に配置されて、その広告の前にいる人々の画像を撮ることができるよう向けられているデジタルカメラを有する。
【００２１】
デジタル画像は、画像を撮ることができる任意のタイプの装置（例えば、カメラ、ビデオカメラなど）によって撮ることができる。画像は、その画像が、（１）達成される必要のある結果を達成する（すなわち、人の目または顔（場合による）が広告に向いているかどうかを判断する）ための処理を行うソフトウェアによって処理可能であるか、または（２）そのように処理可能であるフォーマットに変換可能であるかのいずれかである限り、任意のフォーマットにできる。一例は、Ｌｏｇｉｔｅｃｈ  Ｑｕｉｃｋｃａｍ  Ｐｒｏ  ９０００である。
【００２２】
前述したように、画像の処理は通常、匿名顔検出ソフトウェアとして知られているものを使用して起こるであろう。かかる処理の目的は、実際の人を識別する（その人が誰であるかを判断するという意味で）ことではなく、むしろ単に、その人の目または顔（場合による）が広告に向いているかどうかを判断することであり、そのため仮定は、その人が実際に広告を見ているかどうかに関し得る。かかる匿名顔検出ソフトウェアのいくつかの製造業者は、カナダのＣｏｇｎｏＶｉｓｉｏｎ  Ｓｏｌｕｔｉｏｎ  Ｉｎｃ．；米国のＩｎｔｅｌ  Ｃｏｒｐｏｒａｔｉｏｎ（Ｉｎｔｅｌ  ＡＩＭ  Ｓｕｉｔｅ）；およびイスラエルのＴｒｕＭｅｄｉａ  Ｔｅｃｈｎｏｌｏｇｉｅｓである。特定の製造業者によって製造された特定のソフトウェアは必要ない。必要な機能を実行できる限り、任意のソフトウェアで十分である。
【００２３】
データベースは、格納される必要がある必須のデータを格納し、取得される必須のデータがそこから取得されるように構築されている任意の種類のデータベースであり得る。従って、ほとんどの従来型の市販のデータベースサーバーソフトウェアで十分であろう。例には、Ｏｒａｃｌｅ、ＤＢ２、Ｉｎｆｏｒｍｉｘ、ＤＱＬ  Ｓｅｒｖｅｒなどを含む。
【００２４】
使用されるソフトウェアと互換性があり、実行される必要のある機能を実行可能である限り、任意の種類のコンピュータハードウェアが使用され得る。例えば、従来型のＰＣ互換コンピュータ（ＩｎｔｅｌプロセッサおよびＭｉｃｒｏｓｏｆｔ  Ｗｉｎｄｏｗｓ（登録商標）オペレーティングシステムを有する）が使用され得る。匿名顔認識ソフトウェアがＩｎｔｅｌのＡＩＭ  ｓｕｉｔｅである場合、コンピュータはＩｎｔｅｌ  Ｃｏｒｅ  ２  Ｄｕｏ  ２．０ＧＨｚ以上のプロセッサを有し、最小で１〜２  ＧｂのＲＡＭを備え、かつ、ＭＳ  Ｗｉｎｄｏｗｓ（登録商標）  ＸＰ以降を実行していることが推奨される。
【００２５】
いくつかの方法実施形態では、デジタルカメラで画像を取得する前に、本方法は、画像を取得できるように、デジタルカメラを広告に対して位置付けることをさらに含む。同様のシステム実施形態では、システムは、そのように位置付けられたデジタルカメラを含む。かかる実施形態のいくつかでは、カメラは、広告と同じ一般的な方向に向けられているように位置付けられる（これは、撮る必要のある画像を容易に撮るために、おそらく、状況によっては、カメラの最も単純な位置付けである）。本コンテキストでは、「位置付け（ｐｏｓｉｔｉｏｎｉｎｇ）」（または「位置付けられた（ｐｏｓｉｔｉｏｎｅｄ）」）は、カメラを特定の位置に実際に（恒久的にもしくは一時的に）設置することまたは以前に設置されているカメラを再設定することを含むものとして理解され得る。
【発明の効果】
【００２６】
いくつかの方法実施形態では、本方法は、その人の年齢グループを判断するために、コンピュータプロセッサによって画像を処理することをさらに含む。同様のシステム実施形態では、デジタル画像処理コンポーネントは、そのように画像を処理する。本コンテキストでは、「年齢グループ」は、一般に、人が、ソフトウェアで画像を処理することによって認識された年齢に従って分類され得る、人のカテゴリとして理解されるべきである。従って、実際の処理を行うソフトウェアの機能、および選択されているパラメータ／設定に応じて、可能な「年齢グループ」が異なるであろう。例は、「若者（ｙｏｕｔｈ）」（すなわち、１８歳未満）、「成人（ａｄｕｌｔ）」（１８歳〜６５歳の間）、および「シニア（ｓｅｎｉｏｒ）」（すなわち、６５歳以上）である。かかる実施形態の可能性の１つは、年齢グループに基づいて区別のある請求を（必要とはしないが）可能にすることである。従って、いくつかの実施形態では、その期間に広告に関して請求される総額を計算することは、その期間中にその広告に目／顔を向けた年齢グループの人の総数がゼロより多い、少なくとも各年齢グループについて、その期間中にその広告に目／顔を向けた年齢グループの人の総数に、その年齢グループに関する１人あたりの額を掛け、結果としてその年齢グループに対する額が得られること；および各年齢グループに対して結果として得られる額を一緒に合計することを含む。いくつかのかかる実施形態では、少なくとも２つの年齢グループに関して１人あたりの額が異なるが；全てが異なっていることも可能である。いくつかのかかる実施形態では、少なくとも１つの年齢グループに関して１人あたりの額が事実上ゼロである。計算機コンポーネントは、これを実行するように構成され得る。
【００２７】
いくつかの実施形態では、本方法は、その人の性別（すなわち、その人が男性であるか女性であるか）を判断するために、コンピュータプロセッサによって画像を処理することを含む。同様のシステム実施形態では、デジタル画像処理コンポーネントは、そのように画像を処理する。かかる実施形態の可能性の１つは、性別に基づいて区別のある請求を（必要とはしないが）可能にすることである。従って、いくつかの実施形態では、その期間に広告に関して請求される総額を計算することは、その期間中にその広告に目／顔を向けた性別の人の総数がゼロより多い、少なくとも各前記性別について、その期間中にその広告に目／顔を向けた性別の人の総数に、その性別に関する１人あたりの額を掛け、結果としてその性別に対する額が得られること；および各性別に対して結果として得られる額を一緒に合計することを含む。いくつかのかかる実施形態では、各性別に関して１人あたりの額が異なる。いくつかのかかる実施形態では、１つの性別に関して１人あたりの額が事実上ゼロである。計算機コンポーネントは、これを実行するように構成され得る。
【００２８】
いくつかの実施形態では、本方法は、画像が取得された時刻を示すデータをデータベースに格納することをさらに含む。いくつかの実施形態の別の可能性の１つは、時刻に基づいて区別のある請求を（必要とはしないが）可能にすることである。従って、いくつかの実施形態では、その期間に広告に関して請求される総額を計算することは、複数の時刻グループの各１つの間に、その広告に目／顔を向けた人の総数がゼロより多い、少なくとも複数の時刻グループについて、時刻グループのうちの特定の１つの間にその広告に目／顔を向けた人の総数に、時刻グループのうちのその特定の１つに関する１人あたりの額を掛け、結果として複数の時刻グループの各１つに対する額が得られること；および複数の時刻グループの各１つに対して結果として得られる額を一緒に合計することを含む。いくつかのかかる実施形態では、少なくとも２つの時刻グループに関して１人あたりの額が異なるが；全てが異なっていることも可能である。いくつかのかかる実施形態では、少なくとも１つの時刻グループに関して１人あたりの額が事実上ゼロである。本コンテキストでは、特定数の時刻グループを必要としない。任意の数があり得る。例えば、各時刻は、時刻グループを形成し得る。計算機コンポーネントは、これを実行するように構成され得る。
【００２９】
いくつかの実施形態では、本方法は、画像が取得された日付を示すデータをデータベースに格納することをさらに含む。いくつかの実施形態の別の可能性の１つは、日付に基づいて区別のある請求を（必要とはしないが）可能にすることである。従って、いくつかの実施形態では、その期間に広告に関して請求される総額を計算することは、複数の日付グループの各１つの間に、その広告に目／顔を向けた人の総数がゼロより多い、少なくとも複数の日付グループについて、日付グループのうちの特定の１つの間にその広告に目／顔を向けた人の総数に、日付グループのうちのその特定の１つに関する１人あたりの額を掛け、結果として複数の日付グループの各１つに対する額が得られること；および複数の日付グループの各１つに対して結果として得られる額を一緒に合計することを含む。いくつかのかかる実施形態では、少なくとも１つの日付グループに関して１人あたりの額が事実上ゼロである。本コンテキストでは、特定数の日付グループを必要としない。任意の数があり得る。例えば、各日付は、日付グループを形成し得る（すなわち、単一日付のグループをもつことが可能である）。計算機コンポーネントは、これを実行するように構成され得る。
【００３０】
いくつかの実施形態では、本方法は、画像が取得された場所を示すデータをデータベースに格納することをさらに含む。いくつかの実施形態では、場所データは、ソフトウェア内にハードコードされる。他の実施形態では、画像が取得された場所を示すデータは、位置決めシステム（例えば、ＧＰＳ、Ａ−ＧＰＳ、モバイルネットワークを使用したモバイル装置（例えば、電話）位置決めなど）で取得される。これは、広告がモバイルの場合、有用であり得る。いくつかの実施形態の別の可能性の１つは、広告の場所に基づいて区別のある請求を（必要とはしないが）可能にすることである。従って、いくつかの実施形態では、その期間に広告に関して請求される総額を計算することが、複数の場所のうちの各１つで、その広告に目／顔を向けた人の総数がゼロより多い、複数の場所について、複数の場所のうちの特定の場所でその広告に目／顔を向けた人の総数に、その特定の場所に関する１人あたりの額を掛け、結果として複数の場所の各１つに対する額が得られること；および複数の場所の各１つに対する額を一緒に合計することを含む。いくつかのかかる実施形態では、少なくとも２つの場所に関して１人あたりの額が異なる。いくつかのかかる実施形態では、少なくとも１つの場所に関して１人あたりの額が事実上ゼロである。本コンテキストでは、特定数の場所を必要としない。任意の数があり得る。例えば、各場所は、その独自の特定額（そのいくつかは同じであり得、その他は異なり得る）であり得る。計算機コンポーネントは、これを実行するように構成され得る。
【００３１】
いくつかの実施形態では、本方法は、人が広告に目／顔を向けている継続期間を示すデータをデータベースに格納することをさらに含む。本方法は何度も繰り返され得る（本方法内の最も遅いステップ（おそらく画像取得ステップ）の速度によってのみ制限される）ので、任意の特定の人の目または顔（場合による）がどれだけ長く広告に向くかを追跡することが可能である。広告主にとっては、自分の広告がどれだけ長く人々の注意を引くかを知ることは有用であり得る。人の広告に目／顔が向いた継続期間に基づいて区別のある請求を（必要とはしないが）可能にする、いくつかの実施形態の別の可能性の１つとしての請求も有用であり得る。従って、いくつかの実施形態では、その期間に広告に関して請求される総額を計算することが、複数の継続期間グループの各１つの間、その広告に目／顔を向けた人の総数がゼロより多い、広告にその人の目／顔が向いた、少なくとも複数の継続期間グループについて、継続期間グループのうちの特定の１つの期間中にその広告に目／顔を向けた人の総数に、継続期間グループのうちのその特定の１つに関する１人あたりの額を掛け、結果として複数の継続期間グループの各１つに対する額が得られること；および複数の継続期間グループの各１つに対して結果として得られる額を一緒に合計することを含む。いくつかのかかる実施形態では、少なくとも２つの継続期間グループに関して１人あたりの額が異なる。いくつかのかかる実施形態では、少なくとも１つの継続期間グループに関して１人あたりの額が事実上ゼロである。計算機コンポーネントは、これを実行するように構成され得る。
【００３２】
前述した区別のある請求の可能性に関して、異なる特性に対して区別のある請求を同時に実装することに制限がないことが理解されるはずである。従って、区別のある請求は、年齢グループ、性別、時刻、日付、場所、広告を見ている継続期間などのうちの２つ以上、またはその全てに基づいて、同時に実装され得る。
【００３３】
いくつかの実施形態では、本方法は、人の目／顔が広告に向いていない場合、人の目／顔が広告に向いていないことを示すデータをデータベースに格納することをさらに含む。広告主にとっては、この情報を知ることは、ある状況では有用であり得る。
【００３４】
いくつかの実施形態では、広告は、デジタル媒体（デジタル表示パネルなど）を経由して提示される。他の実施形態では、広告は、非デジタル媒体（広告板など）上に提示される。どちらの場合も、媒体は、静的（すなわち、提示されている広告が比較的短い期間で変わらない−それは、通常、必ずしもではないが、非デジタル媒体に関する状況である）であり得るか；または媒体は可変（すなわち、提示されている広告が比較的短い期間で変化する−それは、通常、必ずしもではないがデジタル媒体に関する状況である）であり得る。いくつかの実施形態では、広告は、期間中、デジタル媒体を経由して提示されている複数の広告のうちの１つである。デジタル媒体では、一般的な状況は、比較的短い期間で、広告のループを表示するような媒体に対するものである。この点に関して一定の要件はないが、一例は、各々１５秒の８つの異なる広告を有する２分間のループであり得る。各広告が表示された後、次の広告が開始される。８番目の広告が再生された後、最初の広告が再度、開始される。ループの部分を形成する異なる広告が時間とともに変わり得ることも一般的であり、例えば、最初の１時間後、異なる広告が３番目の広告に取って代わり得る。ループ内の広告の数が時間とともに変わり得ることも可能である。いくつか（または全部）の広告の長さが時間とともに変わることも可能である。ループの長さが時間とともに変わり得ることも可能である。本明細書で詳述しない他の可能性も言うまでもなく可能である。
【００３５】
これを前提として、いくつかの実施形態では、本方法は、その期間のうちの少なくとも一部の期間中に広告に目／顔が向いた人の人口統計に基づいて、期間中に、広告の時刻、日付、および提示頻度のうちの少なくとも１つを変更させるために、コンピュータ実行可能命令を、コンピュータネットワーク経由で送信することをさらに含む。デジタル表示媒体の柔軟な性質は、実際に広告を見ている人のリアルタイムの人口統計（および実際の履歴の人口統計）を取得する能力と組み合わされて、広告の表示が、対象とする人口統計の最も多い人々によって見られるように、広告の表示を最適化できることを意味する。
【００３６】
さらに、いくつかの実施形態では、期間が複数の下位期間に分割され；本方法は、下位期間のうちの１つの間に広告に関して請求される総額を少なくとも定期的に再計算すること、および下位期間のうちのその１つの間に広告に関して請求される総額が、下位期間のうちのその１つに対する予算額に達すると、下位期間のうちのその１つの残りについて広告の提示頻度を減少させるために、コンピュータ実行可能命令をネットワーク経由で送信することをさらに含む。同様に、いくつかの実施形態では、期間が複数の下位期間に分割され；本方法は、下位期間のうちの１つの間に広告に関して請求される総額を少なくとも定期的に再計算すること、および下位期間のうちのその１つの間に広告に関して請求される総額が、下位期間のうちのその１つに対する予算額に達すると、下位期間のうちのその１つの残りについて広告の提示を停止させるために、コンピュータ実行可能命令をネットワーク経由で送信することをさらに含む。いくつかのかかる実施形態では、本方法は、広告の提示を下位期間の後続の１つで再開させるために、コンピュータ実行可能命令をネットワーク経由で送信することをさらに含む。いくつかのかかる実施形態では、下位期間は数日である。これらの態様は、広告に関する「予算計上（ｂｕｄｇｅｔｉｎｇ）」機能を可能にする。この態様では、特定の下位期間に対する予算に達すると、広告の表示を最小限にするか、または停止することができる。これは、広告主が、例えば、自分の広告が、その広告キャンペーンの一期間だけでなく、全期間にわたって提示されることを確実にできるようにする。
【００３７】
いくつかの実施形態では、本方法は、現在までの広告に関して請求される総額を少なくとも定期的に再計算すること、および現在までの広告に関して請求される総額が、その広告に対する予算額に達すると、その広告の提示を停止させるために、コンピュータ実行可能命令をネットワーク経由で送信することをさらに含む。これらの態様は、広告主（および媒体の所有者）が、広告提示の費用が予算額を（著しく）超えないことを確実にできるように、今まで（すなわち、広告提示の開始から計算時まで）の総費用の「リアルタイム」または定期的な（すなわち、リアルタイムよりは多少頻度が低い）監視も可能にする。従って、予算額に達すると（すなわち、到達したか超えた）、広告の提示が停止する。
【００３８】
いくつかの実施形態では、デジタル媒体は、複数の関連したデジタル媒体の１つであり；その期間のうちの少なくとも一部の期間中に広告に目／顔を向けた人の人口統計に基づいて、その期間中に広告が提示される関連したデジタル媒体のうちの１つを変更させるために、コンピュータ実行可能命令をネットワーク経由で送信することをさらに含む。さらに、いくつかの実施形態では、デジタル媒体は、複数の関連したデジタル媒体の１つであり；その期間のうちの少なくとも一部の期間中に広告に目／顔を向けた人の人口統計に基づいて、少なくとも２つの関連したデジタル媒体上での広告の時刻、日付、および提示頻度のうちの少なくとも１つを変更せるために、コンピュータ実行可能命令をネットワーク経由で送信することをさらに含む。デジタル媒体がいくつかの関連したデジタル媒体のうちの１つである（例えば、デジタル媒体が、モール内のいくつかの広告用デジタル表示パネルの１つである）場合、本態様は、表示を見ている人の人口統計に一致するように、広告が表示されている関連したデジタル媒体のうちの１つ（または複数）の変更を（そのように所望であれば、リアルタイムで）可能にする。従って、例えば、広告が１８歳〜６５歳の間の女性を対象にしている場合、広告は、そのとき（または履歴的に）、広告を見ている閾値量のそれら人口統計の人を有するパネルに優先的に（または、それらのパネルにだけ）提示される。広告は、それらを見ている閾値量のそれら人口統計の人を有しないパネル上で、減らすか、または停止することもできる。
【００３９】
本発明の実施形態の各々は、前述した目的および／または態様の少なくとも１つを有するが、必ずしもそれら全てを有するとは限らない。前述の目的を達成しようとすることから生じている本発明のいくつかの態様が、これらの目的を満足しない可能性があるか、かつ／または本明細書に具体的には列挙されていない他の目的を満足し得ることが理解されるはずである。
【００４０】
本発明の実施形態の追加および／または代替の特徴、態様、および利点が、以下の説明、付随の図、および添付の特許請求の範囲から明かになるであろう。
【００４１】
本発明、ならびに他の態様およびそのさらなる特徴のより良い理解のため、付随する図とともに使用される以下の説明が参照される。
【図面の簡単な説明】
【００４２】
【図１】本発明の一実施形態の概略図表現である。
【図２】本発明のコンピュータシステムの一部として実行する匿名顔認識ソフトウェアのサンプル出力である。
【図３】本発明のコンピュータシステムに関するサンプルのデータ入力画面である。
【図４】本発明のコンピュータシステムに関する第２のサンプルのデータ入力画面である。
【図５】本発明のコンピュータシステムに関する第３のサンプルのデータ入力画面である。
【図６】本発明のコンピュータシステムに関するサンプルのデータ出力画面である。
【図７】ある期間中に屋外で出している広告に関して請求される額を計算する方法を示す流れ図である。
【図８】ある期間、屋外で出す広告に関して請求される額を計算する別の方法を示す流れ図である。
【図９】ある期間中に屋外で出している広告に関して請求される額を計算する別の方法を示す流れ図である。
【図１０】ある期間中に屋外で出している広告に関して請求される額を計算する別の方法を示す流れ図である。
【発明を実施するための形態】
【００４３】
図１を参照すると、本発明の一実施形態であるコンピュータシステム１００が示されている。コンピュータシステム１００は、３つのビデオサブシステム１０２ａ、１０２ｂ、１０２ｃ（以下、１０２と総称する）、データベースサーバー１０４、請求／制御サブシステム１０８、ラップトップ１３２、およびサーバー１２８を含む。コンピュータシステム１００の各コンポーネントは、ネットワーク１００（雲として示されており、任意の種類の適切な通信ネットワークであり得る）を介して互いに接続されている。
【００４４】
ビデオサブシステム１０２の各々は、ショッピングモール内の異なる場所に配置される。ビデオサブシステム１０２ａは、ストアＡの近くに配置される。ビデオサブシステム１０２ｂは、ストアＢの近くに配置される。ビデオサブシステム１０２ｃは、ストアＣの近くに配置される。ビデオサブシステム１０２の各々は、Ｍｉｃｒｏｓｏｆｔ  Ｗｉｎｄｏｗｓ（登録商標）を実行する標準的なＰＣ互換コンピュータ１１６ａ、１１６ｂおよび１１６ｃ（以下、１１６と総称する）、ならびにビデオモニターおよびキーボード１１２ａ、１１２ｂ、１１２ｃ（以下、１１２と総称する）から成る。ビデオモニターおよびキーボード１１２は各々、それぞれのコンピュータ１１６と、それらの間でのデータ転送を可能にする任意の従来型の手段（ＵＳＢ、ブルートゥースなど）で接続されている。例えば、コンピュータのメモリに格納されている命令とともに、プロセッサによって実行されるか、または遂行される命令を提供するために、例えば、データがキーボードに入力され、コンピュータに転送され得る。マウス、トラックボール、タッチスクリーンなど、他のタイプの入力装置がコンピュータ１１６に接続できる。ビデオデータは、ビデオモニターからコンピュータ１１６に転送され、データベースに格納される。コンピュータ１１６は、好ましくは、安全な場所に配置される。広告を表示するために使用される表示媒体１１８が適切な場所に取り付けられる。他のタイプの視覚データおよび視覚情報が表示媒体１１８上に表示できることが認識される。表示媒体１１８は、単純なビデオモニターからもっと複雑な表示画面の組立体に及ぶ、任意の適切なハードウェアから成り得る。表示媒体１１８は、コンピュータ１１６の１つに、その間で送信されるビデオデータのための適切なビデオ接続（例えば、ＤＶＩ）を介して接続される。表示媒体１１８は、音楽、ノイズ、または他の可聴音を放送または再生するためのスピーカーを含め、さらなる情報を出力するために、それに取り付けられた追加の出力装置を有することができる。表示媒体は、無線ネットワーク経由で、コンピュータ１１６とデータ通信できることが認識される。また、表示媒体１１８に近接して、デジタルカメラ１１４ａ、１１４ｂ、１１４ｃ（以下、１１４と総称する）が取り付けられる。デジタルカメラ１１４は、表示媒体１１８の前にいる人の顔の画像を撮ることができるように、位置付けられる。デジタルカメラ１１４は、データ（例えば、ビデオデータ）を、データベースに格納するためにコンピュータ１１６に送信するように、適切な接続（例えば、ＵＳＢ）を介して、コンピュータ１１６に接続される。デジタルカメラ１１４は、無線ネットワーク経由で、コンピュータ１１６とデータ通信できることが認識される。
【００４５】
各コンピュータ１１６は、プロセッサを含み、それは、コンピュータの一般的な動作を制御する。プロセッサは、ディスプレイなどの追加の装置サブシステム、フラッシュメモリ、ランダムアクセスメモリ（ＲＡＭ）、補助入力／出力（Ｉ／Ｏ）サブシステム、シリアルポート、キーボード、スピーカー、マイクロホン、例えばブルートゥース（登録商標）などの短距離用通信サブシステム、および任意の他の装置サブシステムまたは周辺機器ともやりとりする。メモリは、プロセッサによって実行される命令を格納する。コンピュータ１１６は、他のコンピュータ１１６、コンピュータシステム１００またはビデオサブシステム１０２と通信する能力を含め、データ通信能力を有する双方向の通信装置であり得る。
【００４６】
プロセッサによって使用されるオペレーティングシステムソフトウェアは、フラッシュメモリなどの永続的ストアに格納され得るが、それは、代替として読取り専用メモリ（ＲＯＭ）または同様の記憶要素（図示せず）であり得る。当業者は、オペレーティングシステム、特定のコンピュータ１１６アプリケーション、またはそれらの一部が、ＲＡＭなどの揮発性ストアに一時的にロードされ得ることを理解するであろう。
【００４７】
プロセッサは、そのオペレーティングシステム機能に加えて、コンピュータ１１６上でソフトウェアアプリケーションの実行を可能にする。基本装置の操作を制御する、アプリケーションの所定のセットが、例えば、その製造中に、コンピュータ１１６上にインストールされる。これらの基本操作には、通常、例えば、データ通信アプリケーションを含む。加えて、アプリケーションは、ネットワーク１１０、補助Ｉ／Ｏサブシステム、シリアルポート２３０、短距離用通信サブシステム、または任意の他の適切なサブシステムを通してコンピュータ１１６上にロードもされ得、プロセッサによって実行するために、ＲＡＭまたは永続的ストアにインストールされ得る。アプリケーションのインストレーションにおけるかかる柔軟性は、コンピュータ１１６の機能性を向上させ、強化された装置上の機能、通信関連機能、またはその両方を提供し得る。
【００４８】
データベースサーバー１０４は、Ｍｉｃｒｏｓｏｆｔ  Ｗｉｎｄｏｗｓ（登録商標）  Ｓｅｒｖｅｒを実行し、また、適切なデータベースサーバーソフトウェア（例えば、Ｍｉｃｒｏｓｏｆｔ  ＳＱＬ  Ｓｅｒｖｅｒ）を実行する標準的なＰＣ互換サーバーである。データベースサーバー１０４は、コンピュータシステム１００によって使用されるデータベース１２４を含む記憶装置を有する。データベースサーバーは、ショッピングモールとは異なる場所に配置される（ただし、それらは、同じ場所に置かれ得る）。データは、データベース１０４に格納されるか、またはデータベース１０４から取得されるために、コンピュータ１１６からネットワーク１１０を経由して転送できる。データベースサーバー１０４は、データベース１２４内に格納されたデータを操作するために動作できるプロセッサおよびメモリも有する。例えば、データベース１２４内に格納されたデータは、メモリに格納された規則のセットに従って、プロセッサによって配置できる。さらに、データベースサーバー１０４内のプロセッサは、データベース１２４からデータを抽出するか、もしくはデータベース１２４内にデータを格納するため、または、データベース１２４内のデータを操作するため、ネットワーク１１０を介して命令を受信できる。
【００４９】
請求／制御サブシステム１０８は、Ｍｉｃｒｏｓｏｆｔ  Ｗｉｎｄｏｗｓ（登録商標）を実行する標準的なＰＣ互換コンピュータ１２０ならびにビデオモニターおよびキーボード１３６から成る。他のタイプの入力装置または出力装置が、請求制御システム１０８内のコンピュータ１２０に接続できることが認識されている。コンピュータ１２０は、番号１１６によって識別されるコンピュータに関連して上述したコンポーネントを含むことができる。請求／制御サブシステム１０８は、ショッピングモールおよびデータベースサーバー１０４の場所とは異なる場所に配置される（ただし、それらは、同じ場所に置かれ得る）。コンピュータ１２０は、ネットワーク１１０を介して、データベースサーバー１０４およびビデオサブシステム１０２とデータを送受信できる。
【００５０】
各ビデオサブシステム１０２上では、Ｉｎｔｅｌ  ＡＩＭ  Ｓｕｉｔｅ匿名顔認識ソフトウェア（「ＡＦＲソフトウェア」）を実行している。例えば、ＡＦＲソフトウェアは、コンピュータ１１６上で実行できる。さらなる例として、ＡＦＲソフトウェアは、ネットワーク１１０を介して、リモートソースから取得またはダウンロードできる。図２は、カメラ１１８のうちの１つによって取得され、ＡＦＲソフトウェアによって処理されている画像２００を示す。画像２００に示すように、画像内の人（人の等身大に切ったボール紙の１つを含む）の顔の各々が円２０２で囲まれ、顔の位置を判断するためにＡＦＲソフトウェアによって処理されており、（前述したように）顔から集めることができる人口統計情報が取得される。この特定の事例では（図２のウィンドウ内に見られるように）、ＡＦＲソフトウェアは、人の年齢グループおよび性別、ならびにその人たちが広告を見ている継続期間を判断することができる。その情報は、以下で説明するように、データベース１２４に送信され、また、図２で見られるように、次いで現在までのいくつかの統計情報２０４、すなわち、年齢グループ、性別ごとの広告を見ていた人の総数２０６、それらの人が広告を見た平均継続期間２０８（年齢グループ、性別によって分類）、およびそれらの人が広告を見た総継続期間２１０（年齢グループ、性別によって分類）が、表示される。図２に示す実施形態では、統計情報は次のように、年齢グループおよび性別によって分類される：若年成人（女性）、子供、成人カップル、男性成人、若年成人（男性）、女性成人。
【００５１】
各ビデオサブシステム１０２上では、カナダ、モントリオールのＡｙｕｄａ  Ｓｙｓｔｅｍｓによって書かれた「Ｓｐｌａｓｈ  Ｐｌａｙｅｒ」として知られるＭｉｃｒｏｓｏｆｔ  Ｓｉｌｖｅｒｌｉｇｈｔウェブアプリケーションも実行している。Ｓｐｌａｓｈ  Ｐｌａｙｅｒの機能のうちの１つは、表示媒体１１８を制御するために、データベースとのインタフェースをとることである（Ｓｐｌａｓｈ  Ｐｌａｙｅｒは、必ずしも必要ではなく、その機能を達成する、市販またはカスタムに書かれた任意のソフトウェアで十分であることに留意されるべきである）。具体的に言えば、データベース１２４からダウンロードされる際に、どの広告ビデオを表示媒体１１８上で再生すべきかに関する情報。広告ビデオ（任意の適切なビデオフォーマットの）がデータベース１２４内またはコンピュータ１１６上に実際に格納されていない場合、Ｓｐｌａｓｈ  Ｐｌａｙｅｒは、それらをサーバー１２８から（そうでなければリモートで）ネットワーク１１０を介して、コンピュータ１１６にダウンロードするであろう。サーバー１２８は、例えば、Ｍｉｃｒｏｓｏｆｔ  Ｗｉｎｄｏｗｓ（登録商標）  Ｓｅｒｖｅｒを実行する標準的なＰＣ互換サーバーである。さらなる例として、サーバー１２８は、Ｗｅｂサーバー、アプリケーションサーバー、またはウェブサービスを備えたアプリケーションサーバーであり得る。Ｓｐｌａｓｈ  Ｐｌａｙｅｒは次いで、適切な時に広告ビデオを再生し、この事実を反映している適切なデータを、データベース１２４に格納され得るように、データベースサーバー１０４に送信するであろう。Ｓｐｌａｓｈ  Ｐｌａｙｅｒは、コンピュータ１１６上で実行されているＡＦＲソフトウェアともインタフェースをとり、広告を見た人に関する適切なデータをデータベースに送信するであろう。Ｓｐｌａｓｈ  Ｐｌａｙｅｒはまた、広告を見た人に関するデータをデータベース１２４から取得し、それをコンピュータ１１６のローカルのビデオモニター１１２上にローカルに表示することもできる（図２を参照）。
【００５２】
請求／制御サブシステム１０８上では、カナダ、モントリオールのＡｙｕｄａ  Ｓｙｓｔｅｍｓによって書かれた「Ｓｐｌａｓｈ」として知られるＭｉｃｒｏｓｏｆｔ  Ｓｉｌｖｅｒｌｉｇｈｔウェブアプリケーションを実行している。Ｓｐｌａｓｈは、どのビデオ広告がどこでいつ再生されるかの入力（ならびに、それらのデータベース１２４内およびサーバー１２８上への格納）を可能にし、各ローカルのＳｐｌａｓｈ  Ｐｌａｙｅｒとともに個々のビデオサブシステム１０２へのそれらのダウンロードを管理することにより、システムを制御するために使用される。Ｓｐｌａｓｈは、（本明細書で前述したように）請求に関する全ての入力を可能にすること、および請求に関する計算に対しても責任を負う。かかる命令は、入力装置を使用して手動で入力できるか、またはコンピュータもしくはプロセッサから（例えば、メモリ上に格納された命令に従って）入力できる。最後に、Ｓｐｌａｓｈは、広告および（本明細書で説明するように）その請求に関する規則および条件の受入れならびにそれらをシステム全体で実装することにも責任を負う。
【００５３】
例えば、広告主が、特定の広告に対する好ましい人口統計が成人女性であり、問題のショピングモールに対する広告について１日あたり＄２００費やしたいだけであることを指定していると仮定する。また、広告主は、広告を見た人につき０．１０セント請求されると仮定する。この情報は、Ｓｐｌａｓｈに入力されるが、それは、ビデオサブシステム１０２によってデータベース１２４に入力されている情報を動的に監視するであろう。具体的に言うと、Ｓｐｌａｓｈは、人口統計情報を監視し、そのとき、対象とする人口統計の人に最も多く見られている広告が、ビデオ表示１１８上で優先的に再生されるようにするであろう。Ｓｐｌａｓｈはまた、予算額に達すると、広告の表示が停止されることを確実にするために、１日あたりおよびキャンペーンあたりの広告の総費用も計算し監視するであろう。さらに、Ｓｐｌａｓｈは、広告キャンペーンおよびその費用に関する任意の所望の情報を、請求／制御コンピュータ１３８上および、ラップトップ１３２などの、ネットワークに接続された任意の他のコンピュータ上の両方に出力できる。Ｓｐｌａｓｈ自体は必要とされず、同様の機能を達成する、任意の市販またはカスタム作成されたソフトウェアで十分であることが理解されるはずである。
【００５４】
Ｓｐｌａｓｈのサンプル画面ショットが図３〜図６に示されている。図３には、広告キャンペーンに対する１日の予算およびキャンペーン予算に関するデータの入力を可能にし得る、表示装置上に表示される画面３００が示されている。例えば、入力装置（例えば、マウスまたは他のポイントおよびクリック装置）を使用して、ペイパールック（Ｐａｙ  Ｐｅｒ  Ｌｏｏｋ）方式３０６予算または標準的キャンペーン３０８予算のいずれかを選択できる。ペイパールック方式３０６予算オプションが選択されると、１日あたりの予算額が、数字を（例えば、キーボードから）入力するか、またはポイントおよびクリック装置もしくはタッチスクリーンを使用し、所望の予算に達するまで数字をスクロールするかのいずれかにより、フォームまたはテキストウィンドウ２００内に入力できる。さらに、配信方法３０４が、標準（広告を長時間にわたって均一に表示する）または加速（広告を可能な限り迅速に表示する）のいずれかとして選択できる。
【００５５】
図４には、キャンペーンに対して対象とする人口統計に関するデータの入力を可能にする画面４００が示されている。例えば、入力装置を使用すると、対象とする視聴者メンバーの性別および年齢が、それぞれ性別ドロップダウンウィンドウ４０２および年齢ドロップダウンウィンドウ４０４を用いて選択できる。年齢値は特定の数値、年齢範囲またはおおまかなカテゴリ（例えば、成人、若者など）にできる。対象とする視聴者の性別および年齢値が入力されると、「対象とする視聴者に追加する」仮想ボタン４０６を選択することにより、それらの値をもつ新しい対象とする視聴者メンバーが、キャンペーンに追加できる。同様に、「選択を削除する」仮想ボタンを選択することにより、新しい対象とする視聴者値がキャンペーンから削除できる。新規または追加の対象とする視聴者値（例えば、性別および年齢）が選択されると、その値がデータベース１２４に格納できる。追加の対象とする視聴者値が同様の方法で使用でき、システム１００に組み込まれることが認識される。
【００５６】
図５には、キャンペーンについて、広告を見た人あたりの価格に関する入力を可能にする画面５００が示されている。この画面を使用すると、広告を見た人あたりの価格に対する基本レートが、基本レートテキストボックス５０２を使用して（基本レート値を手動で入力するか、またはポイントおよびクリック装置もしくはタッチスクリーンで値全体をスクロールするかのいずれかによって）選択できる。レートは、チェックボックス５０４を選択することにより、時間とともに増加するように設定することもできる。チェックボックス５０４が選択されると、レートは、新しいレートを追加するための「レートを追加」仮想ボタン５０６またはレートを削除するための「レートを削除」仮想ボタン５０６を使用することにより、レートフレーム５０５に設定できる。さらに具体的に言うと、レートフレーム５０５は、調整可能な値を有する３つの列を示す。１つの列５０８は、金銭的価値でのレート／秒を含み、残りの２列５１０は、レート／秒値に対する開始時間および終了時間を示す。これらの調整可能な値を使用し、レートを追加および削除することにより、一人あたりの価格が、時間に依存しているか、または時間に伴って変化するとして予算を立てることができる。レートフレーム５０５からのレートと時間との間の関係の視覚表現である、対応するグラフが、グラフフレーム５１２に示されている。
【００５７】
これらの画面３００、４００、５００の各々は、表示装置上に表示され、データが、入力装置を使用して手動で、またはネットワーク経由で通信するプロセッサからの命令を通して自動的に、入力できる。
【００５８】
画面（またはＧＵＩ）を通して入力された情報およびデータは、広告キャンペーンを表す。広告キャンペーンは、表示または編集のためにデータベース１２４内に格納できる。複数の広告キャンペーンがデータベース１２４内に格納できる。広告キャンペーンは、表示装置上に表示できる。例えば、図６は、表示装置上に表示されているサンプルのキャンペーンデータ出力画面６００を示す。キャンペーンデータ出力画面６００に示される実施形態を参照すると、キャンペーン名６０１（この事例ではＣｏｋｅ  Ｚｅｒｏ（登録商標））が画面６００の左上の隅に表示され；キャンペーン期間６０２が画面６００の上部に表示され；そして、総キャンペーン費用６０４および現在の費用６０５が画面６００の右上に表示されている。対象とする人口統計グループ６０６、地図６１０、および人口統計分布のグラフ６０８を含む、対象とする視聴者に関する様々なデータが示されている。ルック（ｌｏｏｋ）の数、注視された総秒数、注視された平均秒数（例えば、滞留時間（ｄｗｅｌｌ  ｔｉｍｅ））および各日に対する各かかる値における変化率を含む、広告ビューの持続期間６１２に関する数を示す測定基準が、画面６００上に示されている。１日あたり、およびキャンペーン全体の予算使用を示すダイナミックチャートおよび割合値、ならびに１日あたりの予算、総費用、１ルックあたりの平均費用および平均の１日あたりの費用に関する情報を含め、予算に関する視覚情報が、画面６００上の６１４にも示されている。最後に、最近の活動６１６（例えば、最近のルック）も画面６００上に動的に示されている。この最近の活動６１６は、最近見た人のプロファイル（例えば、性別および年齢グループを示す）、持続期間および期間を含む。画面６００上に示される情報は、表示装置上に表示するために、データベース１２４に格納され、そこから取得される。
【００５９】
表示装置は、アプリケーションのグラフィカルユーザーインタフェース（ＧＵＩ）をユーザーに対して視覚的に提示するために使用される。ユーザーは、ＧＵＩ上の情報を、例えば、キーボードなどの入力装置を使用して変更することにより、アプリケーションデータを操作できる。コンピュータ１１６、１２０のタイプに応じて、ユーザーは、例えば、スクロールホイール、トラックボール、ライトペン、またはタッチスクリーンなどの他のタイプの入力装置にアクセスし得る。
【００６０】
図７に示されているのは、ある期間、屋外で出している広告に関して請求される額を計算する方法７００の流れ図である。ステップ７０２で、その期間中に広告に目を向けた人の総数がサブメソッドによって判断される。サブメソッドは、ステップ７０４〜７１０を含む。ステップ７０４で、広告の近くにいる十分な人の画像が、その人の目が広告に向いているかどうかを判断するために取得される。ステップ７０６で、その人の目が広告に向いているかどうかを判断するために、画像がコンピュータプロセッサによって処理される。ステップ７０８で、その人の目が広告に向いている場合、その人の目が広告に向いていることを示すデータがデータベースに格納される。ステップ７１０で、期間中であるかどうかに関して判断される。そうであれば、ステップ７０４〜７１０が繰り返される。そうでなければ、ステップ７１２が実行される。ステップ７１２で、その期間中に広告に目を向けた人の総数を表すデータが、データベースから取得される。最後に、ステップ７１４で、その期間に広告に関して請求される総額が、その期間中に広告に目を向けた人の総数に応じて、コンピュータプロセッサを通して計算される。
【００６１】
図８に示されているのは、ある期間、屋外で出している広告に関して請求される額を計算する方法８００の流れ図である。ステップ８０２で、その期間中に広告に目を向けた人の総数を表すデータがデータベースから取得されるが、そのデータは、その期間中に広告の近くにいた人の目が広告に向いていたかどうかを判断するために、その人の画像の第１のコンピュータプロセッサによるコンピュータ処理から生じている。ステップ８０４で、その期間に広告に関して請求される総額が、その期間に広告に目を向けた人の総数に応じて、第２のコンピュータプロセッサを通して計算される。
【００６２】
図９に示されているのは、ある期間、屋外で出している広告に関して請求される額を計算する方法９００の流れ図である。ステップ９０２で、その期間中に屋外広告に顔が向いた人の総数がサブメソッドによって判断される。サブメソッドは、ステップ９０４〜９１０を含む。ステップ９０４で、広告の近くにいる十分な人の画像が、その人の顔が広告に向いているかどうかを判断するために取得される。ステップ９０６で、その人の顔が広告に向いているかどうかを判断するために、画像がコンピュータプロセッサによって処理される。ステップ９０８で、その人の顔が広告に向いている場合、その人の顔が広告に向いていることを示すデータがデータベースに格納される。ステップ９１０で、期間中であるかどうかに関して判断される。そうであれば、ステップ９０４〜９１０が繰り返される。そうでなければ、ステップ９１２が実行される。ステップ９１２で、その期間中に広告に顔が向いた人の総数を表すデータが、データベースから取得される。最後に、ステップ９１４で、その期間に広告に関して請求される総額が、その期間に広告に顔が向いた人の総数に応じて、コンピュータプロセッサを通して計算される。
【００６３】
図１０に示されているのは、ある期間、屋外で出している広告に関して請求される額を計算する方法１０００の流れ図である。ステップ１００２で、その期間中に広告に顔が向いた人の総数を表すデータがデータベースから取得されるが、そのデータは、その期間中に広告の近くにいた人の顔が広告に向いていたかどうかを判断するために、その人の画像の第１のコンピュータプロセッサによるコンピュータ処理から生じている。ステップ１００４で、その期間に広告に関して請求される総額が、その期間に広告に顔が向いた人の総数に応じて、コンピュータプロセッサを通して計算される。
【００６４】
本発明の前述した実施形態に対する修正および改善が、当業者には明らかになり得る。前述の記述は、制限よりむしろ例示を意図するものである。本発明の範囲は、従って、添付の特許請求の範囲によってのみ制限されることが意図される。
【図１】
2014509426.tif 000003
【図２】
2014509426.tif 000004
【図３】
2014509426.tif 000005
【図４】
2014509426.tif 000006
【図５】
2014509426.tif 000007
【図６】
2014509426.tif 000008
【図７】
2014509426.tif 000009
【図８】
2014509426.tif 000010
【図９】
2014509426.tif 000011
【図１０】
2014509426.tif 000012
【手続補正書】
【提出日】平成25年4月24日(2013.4.24)
【手続補正１】
【補正対象書類名】特許請求の範囲
【補正対象項目名】全文
【補正方法】変更
【補正の内容】
【特許請求の範囲】
【請求項１】
ある期間中に屋外で出している広告に関して請求される額を計算する方法であって、
ａ）前記期間中に前記広告に目および／または顔を向けた人の総数を：
ｉ）前記広告の近くにいる十分な人の画像を、前記人の目および／または顔が前記広告に向いているかどうかの判断を可能にするため、デジタルカメラによって取得することと、
ｉｉ）前記人の目および／または顔が前記広告に向いているかどうかを判断するために、前記画像をコンピュータプロセッサによって処理することと、
ｉｉｉ）前記人の目および／または顔が前記広告に向いている場合、前記人の目および／または顔が前記広告に向いていることを示すデータをデータベースに格納することと、
ｉｖ）前記期間中、ｉ）〜ｉｉｉ）を繰り返すことと
を含むサブメソッドによって判断することと、
ｂ）前記期間中に前記広告に目および／または顔を向けた人の前記総数を表すデータを前記データベースから取得することと、
ｃ）随意に、前記期間中に前記広告に目および／または顔を向けた各人の人口統計を判断するため、ステップａ）ｉ）で取得した前記画像の各々を、前記コンピュータプロセッサによって処理することと、
ｄ）前記期間に前記広告に関して請求される総額を、前記コンピュータプロセッサを通して計算することであって、計算することが：
ｖ）前記期間中に前記広告に目および／または顔を向けた人口統計の人の総数がゼロより多い、少なくとも各前記人口統計について、前記人口統計に対して結果として得られる総額を取得するため、前記期間中に前記広告に目および／または顔を向けた前記人口統計の人の前記数に、前記人口統計に関する１人あたりの額を掛けること；ならびに、各人口統計に対して前記結果として得られる額を合計すること、
ｖｉ）複数の時刻グループの各１つの間に前記広告に目および／または顔を向けた人の総数がゼロより多い、少なくとも前記複数の時刻グループについて、前記複数の時刻グループの各１つに対して結果として得られる額を取得するため、前記時刻グループのうちの特定の１つの間に前記広告に目および／または顔を向けた人の前記総数に、前記時刻グループのうちの前記特定の１つに関する１人あたりの額を掛けること；ならびに、前記複数の時刻グループの各１つに対して前記結果として得られる額を合計すること、
ｖｉｉ）複数の日付グループの各１つの間に前記広告に目および／または顔を向けた人の総数がゼロより多い、少なくとも前記複数の日付グループについて、前記複数の日付グループの各１つに対して結果として得られる額を取得するため、前記日付グループのうちの特定の１つの間に前記広告に目および／または顔を向けた人の前記総数に、前記日付グループのうちの前記特定の１つに関する１人あたりの額を掛けること；ならびに、前記複数の日付グループの各１つに対して前記結果として得られる額を合計すること、
ｖｉｉｉ）複数の場所のうちの各１つで前記広告に目および／または顔を向けた人の総数がゼロより多い、少なくとも前記複数の場所について、前記複数の場所の各１つに対して結果として得られる額を取得するため、前記複数の場所のうちの特定の場所で前記広告に目および／または顔を向けた人の前記総数に、前記特定の場所に関する１人あたりの額を掛けること；ならびに、前記複数の場所の各１つに対して前記結果として得られる額を合計すること、
ｉｘ）複数の継続期間グループの各１つの間、前記広告に目および／または顔を向けた人の総数がゼロより多い、前記広告に人の目および／または顔が向いた、少なくとも前記複数の継続期間グループについて、前記複数の継続期間グループの各１つに対して結果として得られる額を取得するため、前記継続期間グループのうちの特定の１つの期間中に前記広告に目および／または顔を向けた人の前記総数に、前記継続期間グループのうちの前記特定の１つに関する１人あたりの額を掛けること；ならびに前記複数の継続期間グループの各１つに対して前記結果として得られる額を合計すること、または
ｘ）ｖ）〜ｉｘ）のうちの２つ以上の任意の組合せ
を含む、前記期間に前記広告に関して請求される総額を計算することと
を含む方法。
【請求項２】
前記画像を取得することが、前記人の顔の画像を取得することを含む、請求項１に記載の方法。
【請求項３】
前記画像を前記デジタルカメラで取得する前に、前記デジタルカメラを、前記画像を取得できるように、前記広告に対して位置付けることをさらに含む、請求項１または請求項２に記載の方法。
【請求項４】
前記カメラが、前記広告と同じ一般的な方向に向けられているように位置付けられている、請求項３に記載の方法。
【請求項５】
前記人口統計が前記人の年齢グループを含む、請求項１〜請求項４のいずれか１つに記載の方法。
【請求項６】
前記人口統計が前記人の性別を含む、請求項１〜請求項５のいずれか１つに記載の方法。
【請求項７】
前記画像を処理することが、前記画像を顔認識ソフトウェアで処理することを含む、請求項１〜請求項６のいずれか１つに記載の方法。
【請求項８】
前記画像を処理することが、前記画像を顔認識ソフトウェアで処理することである、請求項１〜請求項７のいずれか１つに記載の方法。
【請求項９】
前記画像が取得された時刻、日付、または場所のうちの１つまたは複数を示すデータを前記データベースに格納することをさらに含む、請求項１〜請求項８のいずれか１つに記載の方法。
【請求項１０】
前記画像が取得された前記場所を示す前記データが、位置決めシステムで取得される、請求項９に記載の方法。
【請求項１１】
前記人の目および／または顔が前記広告に向いている継続期間を示すデータを前記データベースに格納することをさらに含む、請求項１〜請求項１０のいずれか１つに記載の方法。
【請求項１２】
前記人の目および／または顔が前記広告に向いていない場合に、前記人の目および／または顔が前記広告に向いていないことを示すデータを前記データベースに格納することをさらに含む、請求項１〜請求項１１のいずれか１つに記載の方法。
【請求項１３】
少なくとも２つの人口統計に関して前記１人あたりの額が異なる、請求項１〜請求項１２のいずれか１つに記載の方法。
【請求項１４】
少なくとも１つの人口統計に関して前記１人あたりの額が事実上ゼロである、請求項１〜請求項１３のいずれか１つに記載の方法。
【請求項１５】
少なくとも２つの前記時刻グループに関して前記１人あたりの額が異なる、請求項１〜請求項１４のいずれか１つに記載の方法。
【請求項１６】
少なくとも１つの前記時刻グループに関して前記１人あたりの額が事実上ゼロである、請求項１〜請求項１５のいずれか１つに記載の方法。
【請求項１７】
少なくとも２つの前記日付グループに関して前記１人あたりの額が異なる、請求項１〜請求項１６のいずれか１つに記載の方法。
【請求項１８】
少なくとも１つの前記日付グループに関して前記１人あたりの額が事実上ゼロである、請求項１〜請求項１７のいずれか１つに記載の方法。
【請求項１９】
少なくとも２つの場所に関して前記１人あたりの額が異なる、請求項１〜請求項１８のいずれか１つに記載の方法。
【請求項２０】
少なくとも１つの場所に関して前記１人あたりの額が事実上ゼロである、請求項１〜請求項１９のいずれか１つに記載の方法。
【請求項２１】
少なくとも２つの継続期間グループに関して前記１人あたりの額が異なる、請求項１〜請求項２０のいずれか１つに記載の方法。
【請求項２２】
少なくとも１つの継続期間グループに関して前記１人あたりの額が事実上ゼロである、請求項１〜請求項２１のいずれか１つに記載の方法。
【請求項２３】
前記広告が、デジタル媒体を介して提示される、請求項１〜請求項２２のいずれか１つに記載の方法。
【請求項２４】
前記広告が、前記期間中、前記デジタル媒体を介して提示されている複数の広告のうちの１つである、請求項２３に記載の方法。
【請求項２５】
前記期間のうちの少なくとも一部の期間中に前記広告に目および／または顔を向けた前記人の前記人口統計に基づいて、前記期間中に、前記広告の時刻、日付、および提示頻度のうちの少なくとも１つを変更することをさらに含む、請求項２３または請求項２４に記載の方法。
【請求項２６】
前記期間が、複数の下位期間に分割されていて、前記方法が、前記下位期間のうちの１つの間に前記広告に関して請求される総額を少なくとも定期的に再計算することと、前記下位期間のうちの前記１つの間に前記広告に関して請求される前記総額が、前記下位期間のうちの前記１つに対する予算額に達すると、前記下位期間のうちの前記１つの残りについて前記広告の提示の頻度を減少させるか、または提示を停止することとをさらに含む、請求項２３〜請求項２５のいずれか１つに記載の方法。
【請求項２７】
前記広告の前記提示が停止されている場合に、前記方法が、前記広告の提示を前記下位期間の後続の１つで再開することをさらに含む、請求項２６に記載の方法。
【請求項２８】
前記下位期間が数日である、請求項２６または請求項２７に記載の方法。
【請求項２９】
現在までの前記広告に関して請求される前記総額を少なくとも定期的に再計算することと、現在までの前記広告に関して請求される前記総額が、前記広告に対する予算額に達すると、前記広告の提示を停止することとをさらに含む、請求項２４〜請求項２８のいずれか１つに記載の方法。
【請求項３０】
前記デジタル媒体が、複数の関連したデジタル媒体の１つであり；前記期間のうちの少なくとも一部の期間中に前記広告に目および／または顔を向けた前記人の人口統計に基づいて、前記関連したデジタル媒体のうちの少なくとも２つ上での前記広告の時刻、日付、および提示頻度のうちの少なくとも１つ、ならびに／または前記広告が提示される前記関連したデジタル媒体のうちの１つを変更することをさらに含む、請求項２４〜請求項２９のいずれか１つに記載の方法。
【請求項３１】
ある期間中に屋外で出している広告に関して請求される額を計算する方法であって、
ａ）前記期間中に前記広告に目および／もしくは顔を向けたか、または前記広告に顔を向けた人の総数を表すデータをデータベースから取得することであって、前記データが、前記期間中に前記広告の近くにいた人の目および／または顔が前記広告に向いていたかどうかを判断するために、前記人の画像の第１のコンピュータプロセッサによるコンピュータ処理から生じている、データをデータベースから取得することと、
ｂ）随意に、前記期間中に前記広告に目および／または顔を向けた各人の人口統計を判断するため、前記第１のコンピュータプロセッサによって、前記画像の各々を処理することと、
ｃ）第２のコンピュータプロセッサを通して、前記期間に前記広告に関して請求される総額を計算することであって、計算することが：
ｉ）前記期間中に前記広告に目および／もしくは顔を向けた人口統計の人の総数がゼロより多い、少なくとも各前記人口統計について、前記人口統計に対して結果として得られる総額を取得するため、前記期間中に前記広告に目および／もしくは顔を向けた前記人口統計の人の前記数に、前記人口統計に関する１人あたりの額を掛けること；ならびに、各人口統計に対して前記結果として得られる額を合計すること、
ｉｉ）複数の時刻グループの各１つの間に前記広告に目および／もしくは顔を向けた人の総数がゼロより多い、少なくとも前記複数の時刻グループについて、前記複数の時刻グループの各１つに対して結果として得られる額を取得するため、前記時刻グループのうちの特定の１つの間に前記広告に目および／もしくは顔を向けた人の前記総数に、前記時刻グループのうちの前記特定の１つに関する１人あたりの額を掛けること；ならびに、前記複数の時刻グループの各１つに対して前記結果として得られる額を合計すること、
ｉｉｉ）複数の日付グループの各１つの間に前記広告に目および／もしくは顔を向けた人の総数がゼロより多い、少なくとも前記複数の日付グループについて、前記複数の日付グループの各１つに対して結果として得られる額を取得するため、前記日付グループのうちの特定の１つの間に前記広告に目および／もしくは顔を向けた人の前記総数に、前記日付グループのうちの前記特定の１つに関する１人あたりの額を掛けること；ならびに、前記複数の日付グループの各１つに対して前記結果として得られる額を合計すること、
ｉｖ）複数の場所のうちの各１つで前記広告に目および／もしくは顔を向けた人の総数がゼロより多い、少なくとも前記複数の場所について、前記複数の場所の各１つに対して結果として得られる額を取得するため、前記複数の場所のうちの特定の場所で前記広告に目および／もしくは顔を向けた人の前記総数に、前記特定の場所に関する１人あたりの額を掛けること；ならびに、前記複数の場所の各１つに対して前記結果として得られる額を合計すること、
ｖ）複数の継続期間グループの各１つの間、前記広告に目および／もしくは顔を向けた人の総数がゼロより多い、前記広告に人の目および／もしくは顔が向いた、少なくとも前記複数の継続期間グループについて、前記複数の継続期間グループの各１つに対して結果として得られる額を取得するため、前記継続期間グループのうちの特定の１つの期間中に前記広告に目および／もしくは顔を向けた人の前記総数に、前記継続期間グループのうちの前記特定の１つに関する１人あたりの額を掛けること；ならびに、前記複数の継続期間グループの各１つに対して前記結果として得られる額を合計すること、または
ｖｉ）ｉ）〜ｖ）のうちの２つ以上の任意の組合せ
を含む、前記期間に前記広告に関して請求される総額を計算することと
を含む方法。
【請求項３２】
ａ）が前記データをネットワーク経由で取得することを含む、請求項３１に記載の方法。
【請求項３３】
ａ）の前に、
前記期間中に前記広告の近くにいる人の前記目および／または顔が前記広告に向いていることを示すデータを、ネットワーク経由で受信することであって、前記データが、前記人の前記目および／または顔が前記広告に向いているかどうかを判断するために、前記人の画像のコンピュータプロセッサによるコンピュータ処理から生じている、データをネットワーク経由で受信することと、
前記人の前記目および／または顔が前記広告に向いている場合、前記人の目および／または顔が前記広告に向いていることを示すデータを前記データベースに格納することと、
前記期間中、前記受信するステップおよび格納するステップを繰り返すことと
をさらに含む、請求項３１に記載の方法。
【請求項３４】
ａ）の前に、
前記期間中に前記広告に目および／または顔を向けた人の前記総数を表す前記データをネットワーク経由で受信することであって、前記データが、前記期間中に前記広告の近くにいる人の前記目および／または顔が前記広告に向いているかどうかを判断するため、前記人の画像のコンピュータプロセッサによるコンピュータ処理から生じている、前記データをネットワーク経由で受信すること
をさらに含む、請求項３１に記載の方法。
【請求項３５】
ａ）の前に、
前記広告の近くにいる十分な人のデジタル画像を、前記人の目および／または顔が前記広告に向いているかどうかを判断するために、ネットワークを経由して、デジタルカメラから受信することと、
前記人の目および／または顔が前記広告に向いているかどうかを判断するために、前記画像をコンピュータプロセッサによって処理することと、
前記人の目および／または顔が前記広告に向いている場合、前記人の目および／または顔が前記広告に向いていることを示すデータを前記データベースに格納することと、
前記期間中、前記受信するステップ、処理するステップ、および格納するステップを繰り返すことと
をさらに含む、請求項３１に記載の方法。
【請求項３６】
各人口統計に関して前記１人あたりの額が異なる、請求項３１〜請求項３５のいずれか１つに記載の方法。
【請求項３７】
少なくとも１つの人口統計に関して前記１人あたりの額が事実上ゼロである、請求項３１〜請求項３６のいずれか１つに記載の方法。
【請求項３８】
少なくとも２つの前記時刻グループに関して前記１人あたりの額が異なる、請求項３１〜請求項３７のいずれか１つに記載の方法。
【請求項３９】
少なくとも１つの前記時刻グループに関して前記１人あたりの額が事実上ゼロである、請求項３１〜請求項３８のいずれか１つに記載の方法。
【請求項４０】
少なくとも２つの前記日付グループに関して前記１人あたりの額が異なる、請求項３１〜請求項３９のいずれか１つに記載の方法。
【請求項４１】
少なくとも１つの前記日付グループに関して前記１人あたりの額が事実上ゼロである、請求項３１〜請求項４０のいずれか１つに記載の方法。
【請求項４２】
少なくとも２つの場所に関して前記１人あたりの額が異なる、請求項３１〜請求項４１のいずれか１つに記載の方法。
【請求項４３】
少なくとも１つの場所に関して前記１人あたりの額が事実上ゼロである、請求項３１〜請求項４２のいずれか１つに記載の方法。
【請求項４４】
少なくとも２つの継続期間グループに関して前記１人あたりの額が異なる、請求項３１〜請求項４３のいずれか１つに記載の方法。
【請求項４５】
少なくとも１つの継続期間グループに関して前記１人あたりの額が事実上ゼロである、請求項３１〜請求項４４のいずれか１つに記載の方法。
【請求項４６】
前記広告が、デジタル媒体を介して提示される、請求項３１〜請求項４５のいずれか１つに記載の方法。
【請求項４７】
前記広告が、前記期間中、前記デジタル媒体を介して提示されている複数の広告のうちの１つである、請求項４６に記載の方法。
【請求項４８】
前記期間のうちの少なくとも一部の期間中に前記広告に目および／または顔を向けた前記人の人口統計に基づいて、前記期間中に、前記広告の時刻、日付、および提示頻度のうちの少なくとも１つを変更させるために、コンピュータ実行可能命令をネットワーク経由で送信することをさらに含む、請求項４６または請求項４７に記載の方法。
【請求項４９】
前記期間が、複数の下位期間に分割されていて；前記下位期間のうちの１つの間に前記広告に関して請求される総額を少なくとも定期的に再計算することと、前記下位期間のうちの前記１つの間に前記広告に関して請求される前記総額が、前記下位期間のうちの前記１つに対する予算額に達すると、前記下位期間のうちの前記１つの残りについて前記広告の提示の頻度を減少させるか、または提示を停止させるために、コンピュータ実行可能命令をネットワーク経由で送信することとをさらに含む、請求項４５〜請求項４８のいずれか１つに記載の方法。
【請求項５０】
前記広告の前記提示が停止されている場合に、前記方法が、前記広告の前記提示を前記下位期間の後続の１つで再開させるために、コンピュータ実行可能命令をネットワーク経由で送信することをさらに含む、請求項４９に記載の方法。
【請求項５１】
前記下位期間が数日である、請求項４９または請求項５０に記載の方法。
【請求項５２】
現在までの前記広告に関して請求される前記総額を少なくとも定期的に再計算することと、現在までの前記広告に関して請求される前記総額が前記広告に対する予算額に達すると、前記広告の前記提示を停止させるために、コンピュータ実行可能命令をネットワーク経由で送信することとをさらに含む、請求項４５〜請求項５１のいずれか１つに記載の方法。
【請求項５３】
前記デジタル媒体が、複数の関連したデジタル媒体の１つであり；前記期間のうちの少なくとも一部の期間中に前記広告に目および／または顔を向けた前記人の人口統計に基づいて、前記関連したデジタル媒体のうちの少なくとも２つ上での前記広告の時刻、日付、および提示頻度のうちの少なくとも１つ、ならびに／または前記広告が提示される前記関連したデジタル媒体のうちの１つを変更させるために、コンピュータ実行可能命令をネットワーク経由で送信することをさらに含む、請求項４５〜請求項５２のいずれか１つに記載の方法。
【請求項５４】
ある期間中に屋外で出している広告に関して請求される額を計算するためのシステムであって：
ａ）前記広告の近くにいる十分な人の画像を、前記人の目および／もしくは顔が前記広告に向いているか、または前記人の顔が前記広告に向いているかどうかを判断するために、デジタルカメラから取得する、デジタル画像取得コンポーネントと、
ｂ）前記人の目および／または顔が前記広告に向いているかどうかを判断するため、ならびに、随意に、前記人の前記人口統計の判断を可能にするために、前記画像を処理する、デジタル画像処理コンポーネントと、
ｃ）前記人の目および／もしくは顔が前記広告に向いているか、または前記人の顔が前記広告に向いている場合に、前記人の目および／または顔が前記広告に向いたことを示すデータを格納するためのデータベースと、
ｄ）前記期間中に目および／または顔が前記広告に向いている人の前記総数を表すデータを前記データベースから取得する取得コンポーネントと、
ｅ）前記期間に前記広告に関して請求される総額を：
ｉ）前記期間中に前記広告に目および／もしくは顔を向けた人口統計の人の総数がゼロより多い、少なくとも各前記人口統計について、前記人口統計に対して結果として得られる総額を取得するため、前記期間中に前記広告に目および／もしくは顔を向けた前記人口統計の人の前記数に、前記人口統計に関する１人あたりの額を掛けること；ならびに、各人口統計に対して前記結果として得られる額を合計すること、
ｉｉ）複数の時刻グループの各１つの間に前記広告に目および／もしくは顔を向けた人の総数がゼロより多い、少なくとも前記複数の時刻グループについて、前記複数の時刻グループの各１つに対して結果として得られる額を取得するため、前記時刻グループのうちの特定の１つの間に前記広告に目および／もしくは顔を向けた人の前記総数に、前記時刻グループのうちの前記特定の１つに関する１人あたりの額を掛けること；ならびに、前記複数の時刻グループの各１つに対して前記結果として得られる額を合計すること、
ｉｉｉ）複数の日付グループの各１つの間に前記広告に目および／もしくは顔を向けた人の総数がゼロより多い、少なくとも前記複数の日付グループについて、前記複数の日付グループの各１つに対して結果として得られる額を取得するため、前記日付グループのうちの特定の１つの間に前記広告に目および／もしくは顔を向けた人の前記総数に、前記日付グループのうちの前記特定の１つに関する１人あたりの額を掛けること；ならびに、前記複数の日付グループの各１つに対して前記結果として得られる額を合計すること、
ｉｖ）複数の場所のうちの各１つで前記広告に目および／もしくは顔を向けた人の総数がゼロより多い、少なくとも前記複数の場所について、前記複数の場所の各１つに対して結果として得られる額を取得するため、前記複数の場所のうちの特定の場所で前記広告に目および／もしくは顔を向けた人の前記総数に、前記特定の場所に関する１人あたりの額を掛けること；ならびに、前記複数の場所の各１つに対して前記結果として得られる額を合計すること、
ｖ）複数の継続期間グループの各１つの間、前記広告に目および／もしくは顔を向けた人の総数がゼロより多い、前記広告に人の目および／もしくは顔が向いた、少なくとも前記複数の継続期間グループについて、前記複数の継続期間グループの各１つに対して結果として得られる額を取得するため、前記継続期間グループのうちの特定の１つの期間中に前記広告に目および／もしくは顔を向けた人の前記総数に、前記継続期間グループのうちの前記特定の１つに関する１人あたりの額を掛けること；ならびに、前記複数の継続期間グループの各１つに対して前記結果として得られる額を合計すること、または
ｖｉ）ｉ）〜ｖ）のうちの２つ以上の任意の組合せ
を含む方法によって計算する、計算機コンポーネントと
を備えるシステム。
【請求項５５】
前記デジタル画像取得コンポーネントが、前記デジタルカメラから前記人の顔の画像を取得する、請求項５４に記載のシステム。
【請求項５６】
前記人口統計が前記人の年齢グループを含む、請求項５４または請求項５５に記載のシステム。
【請求項５７】
前記人口統計が前記人の性別を含む、請求項５４〜請求項５６のいずれか１つに記載のシステム。
【請求項５８】
前記デジタル画像処理コンポーネントが顔認識ソフトウェアを含む、請求項５４〜請求項５７のいずれか１つに記載のシステム。
【請求項５９】
前記画像が取得された時刻、日付、または場所のうちの１つもしくは複数、ならびに／または前記人の目および／もしくは顔が前記広告に向いていた前記継続期間を示すデータが前記データベースに格納される、請求項５４〜請求項５８のいずれか１つに記載のシステム。
【請求項６０】
前記画像が取得された前記場所を示す前記データが、位置決めシステムで取得され、かつ、前記人の目および／または顔が前記広告に向いている継続期間を示すデータが前記データベースに格納される、請求項５９に記載のシステム。
【請求項６１】
少なくとも２つの人口統計に関して前記１人あたりの額が異なる、請求項５４〜請求項６０のいずれか１つに記載のシステム。
【請求項６２】
少なくとも１つの人口統計に関して前記１人あたりの額が事実上ゼロである、請求項５４〜請求項６１のいずれか１つに記載のシステム。
【請求項６３】
少なくとも２つの前記時刻グループに関して前記１人あたりの額が異なる、請求項５４〜請求項６２のいずれか１つに記載のシステム。
【請求項６４】
少なくとも１つの前記時刻グループに関して前記１人あたりの額が事実上ゼロである、請求項５４〜請求項６３のいずれか１つに記載のシステム。
【請求項６５】
少なくとも２つの前記日付グループに関して前記１人あたりの額が異なる、請求項５４〜請求項６４のいずれか１つに記載のシステム。
【請求項６６】
少なくとも１つの前記日付グループに関して前記１人あたりの額が事実上ゼロである、請求項５４〜請求項６５のいずれか１つに記載のシステム。
【請求項６７】
少なくとも２つの場所に関して前記１人あたりの額が異なる、請求項５４〜請求項６６のいずれか１つに記載のシステム。
【請求項６８】
少なくとも１つの場所に関して前記１人あたりの額が事実上ゼロである、請求項５４〜請求項６７のいずれか１つに記載のシステム。
【請求項６９】
少なくとも２つの継続期間グループに関して前記１人あたりの額が異なる、請求項５４〜請求項６８のいずれか１つに記載のシステム。
【請求項７０】
少なくとも１つの継続期間グループに関して前記１人あたりの額が事実上ゼロである、請求項５４〜請求項６９のいずれか１つに記載のシステム。
【請求項７１】
前記広告がそれを介して提示されるデジタル媒体をさらに備える、請求項５４〜請求項７０のいずれか１つに記載のシステム。
【請求項７２】
前記広告が、前記期間中、前記デジタル媒体を介して提示されている複数の広告のうちの１つである、請求項７１に記載のシステム。
【請求項７３】
前記期間のうちの少なくとも一部の期間中に前記広告に目および／または顔を向けた前記人の前記人口統計に基づいて、前記期間中に、前記広告の時刻、日付、および提示頻度のうちの少なくとも１つを変更する広告管理コンポーネントをさらに備える、請求項７１または請求項７２に記載のシステム。
【請求項７４】
前記期間が、複数の下位期間に分割されていて；前記下位期間のうちの少なくとも１つの間に前記広告に関して請求される総額を少なくとも定期的に再計算し、前記下位期間のうちの前記１つの間に前記広告に関して請求される前記総額が、前記下位期間のうちの前記１つに対する予算額に達すると、前記下位期間のうちの前記１つの残りについて前記広告の提示の頻度を減らすか、または提示を停止する、財務管理コンポーネントをさらに備える、請求項７１〜請求項７３のいずれか１つに記載のシステム。
【請求項７５】
前記広告の前記提示が停止されている場合に、前記財務管理コンポーネントが、前記広告の提示を前記下位期間の後続の１つで再開する、請求項７４に記載のシステム。
【請求項７６】
前記下位期間が数日である、請求項７４または請求項７５に記載のシステム。
【請求項７７】
現在までの前記広告に関して請求される前記総額を少なくとも定期的に再計算し、現在までの前記広告に関して請求される前記総額が前記広告に対する予算額に達すると、前記広告の提示を停止する、財務管理コンポーネントをさらに備える、請求項７０〜請求項７５のいずれか１つに記載のシステム。
【請求項７８】
前記デジタル媒体が、複数の関連したデジタル媒体の１つであり；前記期間のうちの少なくとも一部の期間中に前記広告に目および／または顔を向けた前記人の人口統計に基づいて、少なくとも２つの前記関連したデジタル媒体上での前記広告の時刻、日付、および提示頻度のうちの少なくとも１つ、ならびに／または前記広告が提示される前記関連したデジタル媒体のうちの少なくとも１つを変更する、広告管理コンポーネントをさらに備える、請求項７１〜請求項７７のいずれか１つに記載のシステム。
【請求項７９】
ある期間中に屋外で出している広告に関して請求される総額を計算するためのシステムであって：
ａ）前記期間中に前記広告に目および／または顔を向けた人の総数を表すデータをデータベースから取得する取得コンポーネントであって、前記データが、前記期間中に前記広告の近くにいた人の前記目および／または顔が前記広告に向いていたかどうかを判断するため、前記人の画像のコンピュータプロセッサによるコンピュータ処理から生じている、取得コンポーネントと、
ｂ）随意に、前記期間中に前記広告に目および／または顔が向いた前記人の前記人口統計を判断するために、前記画像を処理する、デジタル画像処理コンポーネントと、
ｃ）前記期間に前記広告に関して請求される総額を：
ｉ）前記期間中に前記広告に目および／もしくは顔を向けた人口統計の人の総数がゼロより多い、少なくとも各前記人口統計について、前記人口統計に対して結果として得られる総額を取得するため、前記期間中に前記広告に目および／もしくは顔を向けた前記人口統計の人の前記数に、前記人口統計に関する１人あたりの額を掛けること；ならびに、各人口統計に対して前記結果として得られる額を合計すること、
ｉｉ）複数の時刻グループの各１つの間に前記広告に目および／もしくは顔を向けた人の総数がゼロより多い、少なくとも前記複数の時刻グループについて、前記複数の時刻グループの各１つに対して結果として得られる額を取得するため、前記時刻グループのうちの特定の１つの間に前記広告に目および／もしくは顔を向けた人の前記総数に、前記時刻グループのうちの前記特定の１つに関する１人あたりの額を掛けること；ならびに、前記複数の時刻グループの各１つに対して前記結果として得られる額を合計すること、
ｉｉｉ）複数の日付グループの各１つの間に前記広告に目および／もしくは顔を向けた人の総数がゼロより多い、少なくとも前記複数の日付グループについて、前記複数の日付グループの各１つに対して結果として得られる額を取得するため、前記日付グループのうちの特定の１つの間に前記広告に目および／もしくは顔を向けた人の前記総数に、前記日付グループのうちの前記特定の１つに関する１人あたりの額を掛けること；ならびに、前記複数の日付グループの各１つに対して前記結果として得られる額を合計すること、
ｉｖ）複数の場所のうちの各１つで前記広告に目および／もしくは顔を向けた人の総数がゼロより多い、少なくとも前記複数の場所について、前記複数の場所の各１つに対して結果として得られる額を取得するため、前記複数の場所のうちの特定の場所で前記広告に目および／もしくは顔を向けた人の前記総数に、前記特定の場所に関する１人あたりの額を掛けること；ならびに、前記複数の場所の各１つに対して前記結果として得られる額を合計すること、
ｖ）複数の継続期間グループの各１つの間、前記広告に目および／もしくは顔を向けた人の総数がゼロより多い、前記広告に人の目および／もしくは顔が向いた、少なくとも前記複数の継続期間グループについて、前記複数の継続期間グループの各１つに対して結果として得られる額を取得するため、前記継続期間グループのうちの特定の１つの期間中に前記広告に目および／もしくは顔を向けた人の前記総数に、前記継続期間グループのうちの前記特定の１つに関する１人あたりの額を掛けること；ならびに、前記複数の継続期間グループの各１つに対して前記結果として得られる額を合計すること、または
ｖｉ）ｉ）〜ｖ）のうちの２つ以上の任意の組合せ
を含む方法によって計算する、計算機コンポーネントと
を備えるシステム。
【請求項８０】
前記取得コンポーネントが、前記データをネットワーク経由で取得する、請求項７９に記載のシステム。
【請求項８１】
ｄ）前記期間中に前記広告に目および／または顔を向けた人の総数を表す前記データを取得する前記取得コンポーネントの前に、前記期間中に前記広告の近くにいる人の前記目および／または顔が前記広告に向いていることを示すデータをネットワーク経由で受信する、受信コンポーネントであって、前記データが、前記人の前記目および／または顔が前記広告に向いているかどうかを判断するため、前記人の画像のコンピュータプロセッサによるコンピュータ処理から生じている、受信コンポーネントと、
ｅ）前記データベースであって、前記人の目および／または顔が前記広告に向いている場合、前記人の目および／または顔が前記広告に向いていることを示すデータを前記データベースに格納する、前記データベースと
をさらに備える、請求項７９に記載のシステム。
【請求項８２】
ｄ）前記期間中に前記広告に目および／または顔を向けた人の総数を表す前記データを取得する前記取得コンポーネントの前に、前記期間中に前記広告に目および／または顔を向けた人の前記総数を表す前記データをネットワーク経由で受信する、受信コンポーネントであって、前記データが、前記期間中に前記広告の近くにいた人の前記目および／または顔が前記広告に向いているかどうかを判断するため、前記人の画像のコンピュータプロセッサによるコンピュータ処理から生じている、受信コンポーネント
をさらに備える、請求項７９に記載のシステム。
【請求項８３】
ｄ）前記期間中に前記広告に目および／または顔を向けた人の総数を表す前記データを取得する前記取得コンポーネントの前に、前記広告の近くにいる十分な人の画像を、前記人の目および／または顔が前記広告に向いているかどうかを判断するために、ネットワークを経由して、デジタルカメラから受信する、受信コンポーネントと、
ｅ）前記人の目および／または顔が前記広告に向いているかどうかを判断するために、前記画像を処理するデジタル画像処理コンポーネントと、
ｆ）前記人の目および／または顔が前記広告に向いている場合、前記人の目および／または顔が前記広告に向いていることを示すデータを格納するためのデータベースと
をさらに備える、請求項７９に記載のシステム。
【請求項８４】
少なくとも２つの人口統計に関して前記１人あたりの額が異なる、請求項７９〜請求項８３のいずれか１つに記載のシステム。
【請求項８５】
少なくとも１つの人口統計に関して前記１人あたりの額が事実上ゼロである、請求項７９〜請求項８４のいずれか１つに記載のシステム。
【請求項８６】
少なくとも２つの前記時刻グループに関して前記１人あたりの額が異なる、請求項７９〜請求項８５のいずれか１つに記載のシステム。
【請求項８７】
少なくとも１つの前記時刻グループに関して前記１人あたりの額が事実上ゼロである、請求項７９〜請求項８６のいずれか１つに記載のシステム。
【請求項８８】
少なくとも２つの前記日付グループに関して前記１人あたりの額が異なる、請求項７９〜請求項８７のいずれか１つに記載のシステム。
【請求項８９】
少なくとも１つの前記日付グループに関して前記１人あたりの額が事実上ゼロである、請求項７９〜請求項８８のいずれか１つに記載のシステム。
【請求項９０】
少なくとも２つの場所に関して前記１人あたりの額が異なる、請求項７９〜請求項８９のいずれか１つに記載のシステム。
【請求項９１】
少なくとも１つの場所に関して前記１人あたりの額が事実上ゼロである、請求項７９〜請求項９０のいずれか１つに記載のシステム。
【請求項９２】
少なくとも２つの継続期間グループに関して前記１人あたりの額が異なる、請求項７９〜請求項９１のいずれか１つに記載のシステム。
【請求項９３】
少なくとも１つの継続期間グループに関して前記１人あたりの額が事実上ゼロである、請求項７９〜請求項９２のいずれか１つに記載のシステム。
【請求項９４】
前記広告がそれを介して提示されるデジタル媒体をさらに備える、請求項７９〜請求項９３のいずれか１つに記載のシステム。
【請求項９５】
前記広告が、前記期間中、前記デジタル媒体を介して提示されている複数の広告のうちの１つである、請求項９４に記載のシステム。
【請求項９６】
前記期間のうちの少なくとも一部の期間中に前記広告に目および／または顔を向けた前記人の人口統計に基づいて、前記期間中に、前記広告の時刻、日付、および提示頻度のうちの少なくとも１つを変更する広告管理コンポーネントをさらに備える、請求項９４または請求項９５に記載のシステム。
【請求項９７】
前記期間が、複数の下位期間に分割されていて；前記下位期間のうちの１つの間に前記広告に関して請求される総額を少なくとも定期的に再計算し、前記下位期間のうちの前記１つの間に前記広告に関して請求される前記総額が、前記下位期間のうちの前記１つに対する予算額に達すると、前記下位期間のうちの前記１つの残りについて前記広告の提示の頻度を減らすか、または提示を停止する、財務管理コンポーネントをさらに備える、請求項９４〜請求項９６のいずれか１つに記載のシステム。
【請求項９８】
前記広告の前記提示が停止されている場合に、前記財務管理コンポーネントが、前記広告の提示を前記下位期間の後続の１つで再開する、請求項９７に記載のシステム。
【請求項９９】
前記下位期間が数日である、請求項９７または請求項９８に記載のシステム。
【請求項１００】
現在までの前記広告に関して請求される前記総額を少なくとも定期的に再計算し、現在までの前記広告に関して請求される前記総額が前記広告に対する予算額に達すると、前記広告の提示を停止する、財務管理コンポーネントをさらに備える、請求項９４〜請求項９９のいずれか１つに記載のシステム。
【請求項１０１】
前記デジタル媒体が、複数の関連したデジタル媒体の１つであり；前記期間のうちの少なくとも一部の期間中に前記広告に目および／または顔を向けた前記人の人口統計に基づいて、少なくとも２つの前記関連したデジタル媒体上での前記広告の時刻、日付、および提示頻度のうちの少なくとも１つ、ならびに／または前記広告が提示される前記関連したデジタル媒体のうちの少なくとも１つを変更する、広告管理コンポーネントをさらに備える、請求項９４〜請求項１００のいずれか１つに記載のシステム。
【国際調査報告】
2014509426.tif 000013
2014509426.tif 000014